(57)【特許請求の範囲】
【請求項１】
一端から他端に向かってほぼ直線状の第一部分、ほぼ直線状の第二部分、中央のアーチ状の第三部分、ほぼ直線状の第四部分およびほぼ直線状の第五部分を有し、（０．４１±０．０５ｍｍ）×（０．５６±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して１２°以上２５°以下傾斜し、
上記第三平面は上記第二平面に対して上記第一平面と同じ側に１２°以上２５°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有することを特徴とする歯科矯正用ワイヤー。
【請求項２】
患者の上顎歯の歯科矯正を行う際には、あらかじめ左側および右側の第一小臼歯が抜歯された状態において、上記第二部分および上記第四部分に対して上記第一部分、上記第三部分および上記第五部分を上にした状態で、上記第一部分が左側の第一大臼歯の歯冠部の前面に装着され、上記第二部分が左側の第二小臼歯の歯冠部の前面に装着され、上記第三部分が左側および右側の中切歯、側切歯および犬歯の歯冠部の前面に装着され、上記第四部分が右側の第二小臼歯の歯冠部の前面に装着され、上記第五部分が右側の第一大臼歯の歯冠部の前面に装着され、患者の下顎歯の歯科矯正を行う際には、あらかじめ左側および右側の第一小臼歯が抜歯された状態において、上記第二部分および上記第四部分に対して上記第一部分、上記第三部分および上記第五部分を下にした状態で、上記第一部分が右側の第一大臼歯の歯冠部の前面に装着され、上記第二部分が右側の第二小臼歯の歯冠部の前面に装着され、上記第三部分が左側および右側の中切歯、側切歯および犬歯の歯冠部の前面に装着され、上記第四部分が左側の第二小臼歯の歯冠部の前面に装着され、上記第五部分が左側の第一大臼歯の歯冠部の前面に装着されることを特徴とする請求項１記載の歯科矯正用ワイヤー。
【請求項３】
上記歯科矯正用ワイヤーは、（０．４１±０．０２ｍｍ）×（０．５６±０．０２ｍｍ）の長方形の横断面形状を有するステンレス鋼製ワイヤーまたは上記ステンレス鋼以外の材料からなるワイヤーからなり、上記第一平面は上記第二平面に対して１５°以上２２°以下傾斜し、上記第三平面は上記第二平面に対して上記第一平面と同じ側に１５°以上２２°以下傾斜していることを特徴とする請求項１または２記載の歯科矯正用ワイヤー。
【請求項４】
一端から他端に向かってほぼ直線状の第一部分、ほぼ直線状の第二部分、中央のアーチ状の第三部分、ほぼ直線状の第四部分およびほぼ直線状の第五部分を有し、（０．４３±０．０５ｍｍ）×（０．６４±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して７°以上２０°以下傾斜し、
上記第三平面は上記第二平面に対して上記第一平面と同じ側に７°以上２０°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有することを特徴とする歯科矯正用ワイヤー。
【請求項５】
患者の上顎歯の歯科矯正を行う際には、あらかじめ左側および右側の第二小臼歯が抜歯された状態において、上記第二部分および上記第四部分に対して上記第一部分、上記第三部分および上記第五部分を上にした状態で、上記第一部分が左側の第一大臼歯の歯冠部の前面に装着され、上記第二部分が左側の第一小臼歯の歯冠部の前面に装着され、上記第三部分が左側および右側の中切歯、側切歯および犬歯の歯冠部の前面に装着され、上記第四部分が右側の第一小臼歯の歯冠部の前面に装着され、上記第五部分が右側の第一大臼歯の歯冠部の前面に装着され、患者の下顎歯の歯科矯正を行う際には、あらかじめ左側および右側の第二小臼歯が抜歯された状態において、上記第二部分および上記第四部分に対して上記第一部分、上記第三部分および上記第五部分を下にした状態で、上記第一部分が右側の第一大臼歯の歯冠部の前面に装着され、上記第二部分が右側の第一小臼歯の歯冠部の前面に装着され、上記第三部分が左側および右側の中切歯、側切歯および犬歯の歯冠部の前面に装着され、上記第四部分が左側の第一小臼歯の歯冠部の前面に装着され、上記第五部分が左側の第一大臼歯の歯冠部の前面に装着されることを特徴とする請求項４記載の歯科矯正用ワイヤー。
【請求項６】
上記歯科矯正用ワイヤーは、（０．４３±０．０２ｍｍ）×（０．６４±０．０２ｍｍ）の長方形の横断面形状を有するステンレス鋼製ワイヤーまたは上記ステンレス鋼以外の材料からなるワイヤーからなり、上記第一平面は上記第二平面に対して１０°以上１７°以下傾斜し、上記第三平面は上記第二平面に対して上記第一平面と同じ側に１０°以上１７°以下傾斜していることを特徴とする請求項４または５記載の歯科矯正用ワイヤー。
【請求項７】
上記歯科矯正用ワイヤーは一本のステンレス鋼製ワイヤーまたは上記ステンレス鋼以外の材料からなるワイヤーの四箇所を折り曲げ加工することによって製造されたものであることを特徴とする請求項１〜６のいずれか一項記載の歯科矯正用ワイヤー。
【請求項８】
上記歯科矯正用ワイヤーは、上記第三部分を二等分し、かつ上記第二平面に垂直な平面に関してほぼ対称であることを特徴とする請求項１〜７のいずれか一項記載の歯科矯正用ワイヤー。
【請求項９】
患者の上顎前歯または下顎前歯の歯冠部の前面に装着したブラケットに上記歯科矯正ワイヤーを装着したとき、上記歯科矯正用ワイヤーの長手方向の一つの稜が上記ブラケットのスロットの底面に点接触または線接触し、この稜を挟んだ両側の稜が上記ブラケットのスロットの両側面にそれぞれ点接触または線接触することを特徴とする請求項１〜８のいずれか一項記載の歯科矯正用ワイヤー。
【請求項１０】
歯科矯正用ワイヤーとこの歯科矯正用ワイヤーを取り付けるためのブラケットとからなる歯科矯正用セットであって、
上記歯科矯正用ワイヤーは、
一端から他端に向かってほぼ直線状の第一部分、ほぼ直線状の第二部分、中央のアーチ状の第三部分、ほぼ直線状の第四部分およびほぼ直線状の第五部分を有し、（０．４１±０．０５ｍｍ）×（０．５６±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して１２°以上２５°以下傾斜し、
上記第三平面は上記第二平面に対して上記第一平面と同じ側に１２°以上２５°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有し、
上記ブラケットは、
幅が０．５６±０．０５ｍｍの長方形の断面形状を有するスロットまたは幅が（０．５６±０．０５ｍｍ）×ｐの長方形の断面形状を有するスロットを有する
ことを特徴とする歯科矯正用セット。
【請求項１１】
上記歯科矯正用ワイヤーは（０．４１±０．０２ｍｍ）×（０．５６±０．０２ｍｍ）の長方形の横断面形状を有するステンレス鋼製ワイヤーまたは上記ステンレス鋼以外の材料からなるワイヤーからなり、
上記第一平面は上記第二平面に対して１５°以上２２°以下傾斜し、
上記第三平面は上記第二平面に対して上記第一平面と同じ側に１５°以上２２°以下傾斜し、
上記ブラケットは幅が０．５６±０．０２ｍｍまたは（０．５６±０．０２ｍｍ）×ｐの長方形の断面形状を有するスロットを有することを特徴とする請求項１０記載の歯科矯正用セット。
【請求項１２】
歯科矯正用ワイヤーとこの歯科矯正用ワイヤーを取り付けるためのブラケットとからなる歯科矯正用セットであって、
上記歯科矯正用ワイヤーは、
一端から他端に向かってほぼ直線状の第一部分、ほぼ直線状の第二部分、中央のアーチ状の第三部分、ほぼ直線状の第四部分およびほぼ直線状の第五部分を有し、（０．４３±０．０５ｍｍ）×（０．６４±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して７°以上２０°以下傾斜し、
上記第三平面は上記第二平面に対して上記第一平面と同じ側に７°以上２０°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有し、
上記ブラケットは、
幅が０．５６±０．０５ｍｍの長方形の断面形状を有するスロットまたは幅が（０．５６±０．０５ｍｍ）×ｐの長方形の断面形状を有するスロットを有する
ことを特徴とする歯科矯正用セット。
【請求項１３】
上記歯科矯正用ワイヤーは（０．４３±０．０２ｍｍ）×（０．６４±０．０２ｍｍ）の長方形の横断面形状を有するステンレス鋼製ワイヤーまたは上記ステンレス鋼以外の材料からなるワイヤーからなり、
上記第一平面は上記第二平面に対して１０°以上１７°以下傾斜し、
上記第三平面は上記第二平面に対して上記第一平面と同じ側に１０°以上１７°以下傾斜し、
上記ブラケットは幅が０．５６±０．０２ｍｍまたは（０．５６±０．０２ｍｍ）×ｐの長方形の断面形状を有するスロットを有することを特徴とする請求項１２記載の歯科矯正用セット。
【請求項１４】
一本のステンレス鋼製ワイヤーまたはステンレス鋼以外の材料からなるワイヤーの四箇所を折り曲げ加工することによって、
一端から他端に向かってほぼ直線状の第一部分、ほぼ直線状の第二部分、中央のアーチ状の第三部分、ほぼ直線状の第四部分およびほぼ直線状の第五部分を有し、（０．４１±０．０５ｍｍ）×（０．５６±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して１２°以上２５°以下傾斜し、
上記第三平面は上記第二平面に対して上記第一平面と同じ側に１２°以上２５°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有する歯科矯正用ワイヤーを製造することを特徴とする歯科矯正用ワイヤーの製造方法。
【請求項１５】
一本のステンレス鋼製ワイヤーまたはステンレス鋼以外の材料からなるワイヤーの四箇所を折り曲げ加工することによって、
一端から他端に向かってほぼ直線状の第一部分、ほぼ直線状の第二部分、中央のアーチ状の第三部分、ほぼ直線状の第四部分およびほぼ直線状の第五部分を有し、（０．４３±０．０５ｍｍ）×（０．６４±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して７°以上２０°以下傾斜し、
上記第三平面は上記第二平面に対して上記第一平面と同じ側に７°以上２０°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有する歯科矯正用ワイヤーを製造することを特徴とする歯科矯正用ワイヤーの製造方法。
【請求項１６】
一端から他端に向かってほぼ直線状の第一部分、ほぼ直線状の第二部分、中央のアーチ状の第三部分、ほぼ直線状の第四部分およびほぼ直線状の第五部分を有し、（０．４１±０．０５ｍｍ）×（０．５６±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して１２°以上２５°以下傾斜し、
上記第三平面は上記第二平面に対して上記第一平面と同じ側に１２°以上２５°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有する歯科矯正用ワイヤー
または
一端から他端に向かってほぼ直線状の第一部分、ほぼ直線状の第二部分、中央のアーチ状の第三部分、ほぼ直線状の第四部分およびほぼ直線状の第五部分を有し、（０．４３±０．０５ｍｍ）×（０．６４±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して７°以上２０°以下傾斜し、
上記第三平面は上記第二平面に対して上記第一平面と同じ側に７°以上２０°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有する歯科矯正用ワイヤー
を、一本のステンレス鋼製ワイヤーまたはステンレス鋼以外の材料からなるワイヤーの四箇所を折り曲げ加工することによって製造するために用いられる歯科矯正用ワイヤー製造用プライヤーであって、
前端に顎部を有し、後端側に握り柄を有する第一アームと、
前端に顎部を有し、後端側に握り柄を有する第二アームとを有し、
上記第一アームと上記第二アームとは連結軸によって、この連結軸の周りに回転可能な状態で互いにＸ字状に連結され、
上記第一アームの上記顎部の、上記第二アームの上記顎部と対向する面に、上記第一アームに沿う方向に延在する三角柱状の凸部が設けられ、
上記第二アームの上記顎部の、上記第一アームの上記顎部と対向する面に、上記第二アームに沿う方向に延在する三角柱状の凹部が設けられ、
上記第一アームの上記顎部の上記凸部の長手方向に垂直な断面における三角形の頂角は１５５°以上１７３°以下であり、
上記第二アームの上記顎部の上記凹部の長手方向に垂直な断面における三角形の頂角は１５５°以上１７３°以下であり、
上記第一アームと上記第二アームとを上記連結軸の周りに回転させて上記第一アームの上記顎部と上記第二アームの上記顎部とを閉じたとき、上記第一アームの上記顎部の上記凸部と上記第二アームの上記顎部の上記凹部とが互いにはまり合うように構成されていることを特徴とする歯科矯正用ワイヤー製造用プライヤー。
【発明の詳細な説明】
【技術分野】
【０００１】
この発明は、歯科矯正用ワイヤー、歯科矯正用ワイヤーの製造方法、歯科矯正用セットおよび歯科矯正用ワイヤー製造用プライヤーに関し、特に、歯科医師が歯科矯正治療を行う際に用いて好適な歯科矯正用ワイヤー、その製造方法およびその製造に用いて好適な歯科矯正用ワイヤー製造用プライヤーならびにその歯科矯正用ワイヤーとブラケットとからなる歯科矯正用セットに関する。
【背景技術】
【０００２】
歯科矯正治療においては、ブラケットなどの矯正装置を歯の歯冠部に装着し、この矯正装置に、必要なベンドを施した歯科矯正用ワイヤーを取り付け、その両端を固定源に固定することで、この歯科矯正用ワイヤーにより歯に力を加えて移動させるのが一般的である（例えば、非特許文献１、２参照。）。
【０００３】
近代歯科矯正治療が初めて行われてから約１６０年程度経過している。その間に種々の矯正用の材料が開発され、矯正理論も発展し、ある程度の治療の合理化は図られてきたと考えられる。しかしながら、現在一般的に行われている歯科矯正治療の全ての内容が、安全で合理性の高い治療として確立されたものに至っているかと言えば疑問がある。結論から言えば、今現在一般的に行われている歯科矯正治療は、力学的見地から安全で合理性の高い治療とは到底考えられない。何より、「これが全てにおいて正しい」と言える確実な治療理論はなく、１００％信頼できる完全マニュアルと言える本もなく、個々の矯正歯科医がそれぞれ正しいと信じた理論や安易なテクニックを利用して治療を行っているに過ぎないのが現状と言える。
【０００４】
本来、歯科矯正治療とは「口腔内で組織に害を与えず、歯を安全に移動させて咬合関係を確立する治療」であるはずであるが、あらゆる方面から考えても、組織に害を与えず、安全に、そして確実に歯を移動させる方法が確立されているとは言えない。
【０００５】
このような現状では、いつでも安全な歯科矯正治療がなされているとは言えるはずもなく、歯根吸収、顎関節症状、咬合不全などの医源的トラブルがある一定の確率で起こっていると考えられる。
【０００６】
特に歯根吸収に関しては、重症なケースを除いては治療後に顕著な自覚症状はなく、一見すると外見上は歯が綺麗に配列されたかのように見えるため、治療後にＸ線撮影を行って確認しなければ分からない、とても分かりにくいトラブルである。しかしながら、歯根吸収の程度によっては、将来とても大きなトラブルとなり得る。
【０００７】
現在の歯科矯正理論に基づいて治療が行われた場合、それは組織学的、力学的バランスの不完全な理論であるため、歯根の根尖３分の１の部分に歯根吸収がいつ起きても仕方がないとあきらめられており、もし歯根吸収が起きていなければ幸運と言わざるを得ないのが現状である。
【０００８】
歯根吸収が多少起きても歯自体は直ぐに駄目になることはないので、多くの矯正歯科医は、ある程度の歯根吸収が起きても止むを得ないと考えている。全ての症例が歯根吸収を起こす訳ではないが、現在施行されている多くの歯科矯正テクニックのメカニズム自体が、必ず数パーセントの確率で歯根吸収を起こしてしまうのは止むを得ないと考えられてきた。
【０００９】
しかしながら、歯科矯正治療で起こる歯根吸収は実は大きな問題である。すなわち、極度の歯根吸収が起きると、歯が抜けやすくなってしまう。また、若いうち（もしくは治療後すぐ）は大丈夫でも将来、歯周病が進行し、歯茎が弱くなった時はその影響を受け、抜けやすくなる。そうなってしまった場合、対処方法としては抜歯しかない。
【００１０】
歯根吸収のメカニズムについて詳細に説明する。歯根吸収のメカニズムはいくつかあると考えられる。先天的（病的）に歯根吸収を起こす場合もあるが、実際は歯科矯正治療により人為的に起こされるケースが圧倒的に多い。人為的に起こされるケースとしては以下の二つのパターンが考えられる。
【００１１】
一つは、矯正力が強すぎる場合である。歯科矯正治療のメカニズムとして、必ず機械的な矯正装置によって歯に力が加えられるが、実は歯科矯正治療は、持続的な力を歯から組織に伝え、ある種の新陳代謝を利用して歯を移動させる治療である。ただし、歯を移動させる力には許容範囲があり、力が強すぎても弱すぎても、適切に移動しない。この力が許容範囲を超えて強すぎる場合、歯根吸収の原因となる。
【００１２】
もう一つは、ジグリング（ごますり運動）による歯根吸収である。歯の移動メカニズムには歯体移動と傾斜移動とがあるが、現在行われている矯正治療のほとんどが、小さなジグリングまたは大きなジグリングを行いながら歯を傾斜して移動させる傾斜移動を行っている。この傾斜移動も歯根吸収を起こす大きな原因で、もし歯を傾斜させない歯体移動が可能になれば歯根吸収のほとんどが避けられると考えられる。
【００１３】
これまでに完璧な歯体移動が実現しなかった理由について説明する。その大きな壁は解剖学的な歯の構造と力学的な構造とに原因がある。すなわち、図３９に示すように、歯５０１は歯冠部５０１ａと歯根部５０１ｂとが歯根膜５０２を介して歯槽骨５０３に植立している。歯冠部５０１ａと歯根部５０１ｂとの高さの比は約１：１．５であるが、個人差がある。矯正装置は、歯根部５０１ｂに装着することが不可能であるから、歯冠部５０１ａに装着されるのであるが、実は移動させたいのは歯根部５０１ｂである。正にこれが、力学的に無理の生じる点である。すなわち、通常のメカニズムで矯正力を働かせた場合、力点と作用点との位置の関係から、歯根部５０１ｂが動くとき、根尖１／３の付近が支点となる。すなわち、根尖１／３はジグリングを繰り返しながら移動する。そのため、移動し終わった頃には確実に歯５０１にダメージが加わってしまうことになる。
【００１４】
上記のような背景の下で、本発明者は、新しい概念に基づく歯科矯正治療システム（３次元的ライトフォーススライディングテクニック（３Ｄ−ＬＳＴ）と呼ばれる）を提唱している（非特許文献３、４参照。）。非特許文献３には、歯科矯正治療に際して、必要以上の負荷がかからない細いワイヤーを選択し、そのワイヤーの４箇所に特殊ベンド（ティップバックベンドとトルクホールディングベンドとがそれぞれ２箇所、１５°〜２０°のハイベンド）を付けることで歯体移動を可能とし、結果として安全にそして合理的に治療を行うことができることが記載されている。非特許文献４には、０２２×０２８インチスロットブラケットにメインアーチが０１６×０２２もしくは０１７×０２５を使用すること、細いワイヤーでの３次元的歯の移動によりトルク、アンギュレーションのコントロールが可能であること（トルクホールディングベンド《１５度から２０度》）、ティップバックハイベンド《１５度から２０度》を用いることが記載されている。しかしながら、非特許文献３、４に記載された「トルクホールディングベンド」は本発明者による造語であり、トルクホールディングベンドの意味については何ら記載されておらず、ワイヤーのどこにティップバックベンドおよびトルクホールディングベンドを付けるかについても何ら記載されていない。
【先行技術文献】
【非特許文献】
【００１５】
【非特許文献１】William R. Proffit著（高田健治訳）「新版  プロフィトの現代歯科矯正学」（クインテッセンス出版株式会社、２００４年６月１０日発行）
【非特許文献２】石川晴夫、古賀正忠著「プリアジャステッドブラケットシステム・ストレートワイヤーテクニック」（クインテッセンス出版株式会社、１９９７年１月２５日発行）
【非特許文献３】［平成２５年１１月２１日検索］、インターネット〈ＵＲＬ：http://www.cat-ortho.jp/treatment/categories/t01.html 〉
【非特許文献４】［平成２５年１１月２１日検索］、インターネット〈ＵＲＬ：http://www.japos.jp/purpose/index.html〉
【発明の概要】
【発明が解決しようとする課題】
【００１６】
上述のように、従来の歯科矯正治療では、歯を傾斜移動（ジグリング）させるのが一般的であるため、歯根吸収が起きることは避けられなかった。
【００１７】
そこで、この発明が解決しようとする課題は、歯科矯正治療に使用することにより、三次元的な歯体移動が可能となることから、歯根吸収をほぼ完全に防止することができ、しかも組織にダメージをほとんど与えることがない歯科矯正用ワイヤーおよびこの歯科矯正用ワイヤーとブラケットとからなる歯科矯正用セットを提供することである。
【００１８】
この発明が解決しようとする他の課題は、上記の歯科矯正用ワイヤーを容易に製造することができる歯科矯正用ワイヤーの製造方法を提供することである。
【００１９】
この発明が解決しようとするさらに他の課題は、上記の歯科矯正用ワイヤーを容易に製造することができる歯科矯正用ワイヤー製造用プライヤーを提供することである。
【課題を解決するための手段】
【００２０】
本発明者は、従来の多くの歯科矯正治療では歯根吸収が起こっていると考えられる状況の中で、歯根吸収のメカニズムを徹底的に研究した結果、特定の位置に特殊なベンドを施した細い歯科矯正用ワイヤーを用いることにより、強すぎない適正な矯正力を用いて、前歯の歯根（あるいは歯軸）を移動させたい方向に直線的かつ三次元的に移動、すなわち並進移動させることができることを見出し、この発明を案出するに至った。このような歯体移動の実現により歯科矯正治療により歯根吸収を起こすことがなくなったことが多くの症例で確認されている。
【００２１】
すなわち、上記課題を解決するために、この発明は、
一端から他端に向かってほぼ直線状の第一部分、ほぼ直線状の第二部分、中央のアーチ状の第三部分、ほぼ直線状の第四部分およびほぼ直線状の第五部分を有し、（０．４１±０．０５ｍｍ）×（０．５６±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して１２°以上２５°以下傾斜し、
上記第三平面は上記第二平面に対して上記第一平面と同じ側に１２°以上２５°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有することを特徴とする歯科矯正用ワイヤーである。
【００２２】
この歯科矯正用ワイヤーは、第一小臼歯を抜歯して歯科矯正を行う際に用いて好適なものである。すなわち、この歯科矯正用ワイヤーは、患者の上顎歯の歯科矯正を行う際には、あらかじめ左側および右側の第一小臼歯が抜歯された状態において、第二部分および第四部分に対して第一部分、第三部分および第五部分を上にした状態で、第一部分が左側の第一大臼歯の歯冠部の前面に装着され、第二部分が左側の第二小臼歯の歯冠部の前面に装着され、第三部分が左側および右側の中切歯、側切歯および犬歯の歯冠部の前面に装着され、第四部分が右側の第二小臼歯の歯冠部の前面に装着され、第五部分が右側の第一大臼歯の歯冠部の前面に装着される。また、患者の下顎歯の歯科矯正を行う際には、あらかじめ左側および右側の第一小臼歯が抜歯された状態において、第二部分および第四部分に対して第一部分、第三部分および第五部分を下にした状態で、第一部分が右側の第一大臼歯の歯冠部の前面に装着され、第二部分が右側の第二小臼歯の歯冠部の前面に装着され、第三部分が左側および右側の中切歯、側切歯および犬歯の歯冠部の前面に装着され、第四部分が左側の第二小臼歯の歯冠部の前面に装着され、第五部分が左側の第一大臼歯の歯冠部の前面に装着される。また、この歯科矯正用ワイヤーは、必要に応じて、例えば、左側の第一小臼歯を抜歯するとともに、右側の第二小臼歯を抜歯し、あるいはその逆に、左側の第二小臼歯を抜歯するとともに、右側の第一小臼歯を抜歯して歯科矯正を行う際に用いることもでき、取り分け、前歯を後方に移動させる（後方に下げる）場合に用いて好適なものである。具体的には、この歯科矯正用ワイヤーは、患者の上顎歯の歯科矯正を行う際には、例えば、あらかじめ左側の第一小臼歯が抜歯され、右側の第二小臼歯が抜歯された状態において、第二部分および第四部分に対して第一部分、第三部分および第五部分を上にした状態で、第一部分が左側の第一大臼歯の歯冠部の前面に装着され、第二部分が左側の第二小臼歯の歯冠部の前面に装着され、第三部分が左側および右側の中切歯、側切歯および犬歯の歯冠部の前面に装着され、第四部分が右側の第一小臼歯の歯冠部の前面に装着され、第五部分が右側の第一大臼歯の歯冠部の前面に装着される。あるいは、この歯科矯正用ワイヤーは、あらかじめ左側の第二小臼歯が抜歯され、右側の第一小臼歯が抜歯された状態において、第二部分および第四部分に対して第一部分、第三部分および第五部分を上にした状態で、第一部分が左側の第一大臼歯の歯冠部の前面に装着され、第二部分が左側の第一小臼歯の歯冠部の前面に装着され、第三部分が左側および右側の中切歯、側切歯および犬歯の歯冠部の前面に装着され、第四部分が右側の第二小臼歯の歯冠部の前面に装着され、第五部分が右側の第一大臼歯の歯冠部の前面に装着される。また、この歯科矯正用ワイヤーは、患者の下顎歯の歯科矯正を行う際には、例えば、あらかじめ左側の第一小臼歯が抜歯され、右側の第二小臼歯が抜歯された状態において、第二部分および第四部分に対して第一部分、第三部分および第五部分を下にした状態で、第一部分が右側の第一大臼歯の歯冠部の前面に装着され、第二部分が右側の第一小臼歯の歯冠部の前面に装着され、第三部分が左側および右側の中切歯、側切歯および犬歯の歯冠部の前面に装着され、第四部分が左側の第二小臼歯の歯冠部の前面に装着され、第五部分が左側の第一大臼歯の歯冠部の前面に装着される。あるいは、この歯科矯正用ワイヤーは、あらかじめ左側の第二小臼歯が抜歯され、右側の第一小臼歯が抜歯された状態において、第二部分および第四部分に対して第一部分、第三部分および第五部分を下にした状態で、第一部分が右側の第一大臼歯の歯冠部の前面に装着され、第二部分が右側の第二小臼歯の歯冠部の前面に装着され、第三部分が左側および右側の中切歯、側切歯および犬歯の歯冠部の前面に装着され、第四部分が左側の第一小臼歯の歯冠部の前面に装着され、第五部分が左側の第一大臼歯の歯冠部の前面に装着される。
【００２３】
歯科矯正用ワイヤーにステンレス鋼製ワイヤーを用いる場合には、その横断面の長方形の寸法は（０．４１±０．０５ｍｍ）×（０．５６±０．０５ｍｍ）の範囲内で必要に応じて選ばれる。横断面の長方形の寸法が（０．４１±０．０５ｍｍ）×（０．５６±０．０５ｍｍ）の範囲内のステンレス鋼製ワイヤーであれば、必要に応じて第一平面の第二平面に対する傾斜角度や第三平面の第二平面に対する傾斜角度を調整することにより、横断面の長方形の寸法が０．４１ｍｍ×０．５６ｍｍのステンレス鋼製ワイヤーを用いた場合と同様な効果を得ることが可能である。また、歯科矯正用ワイヤーには、このステンレス鋼製ワイヤーと同等の機械的性質（ヤング率、ねじれ剛性など）を有する限り、ステンレス鋼以外の材料からなるワイヤーを用いてもよく、その場合には、ワイヤーの材料に応じて、（０．４１±０．０５ｍｍ）×（０．５６±０．０５ｍｍ）の長方形の横断面形状を有するステンレス鋼製ワイヤーの横断面形状と相似比１：ｐ（ただし、０．９≦ｐ≦１．１）で相似した横断面形状を有するようにする。こうすることで、ステンレス鋼以外の材料からなるワイヤーを用いても、必要に応じて第一平面の第二平面に対する傾斜角度や第三平面の第二平面に対する傾斜角度を調整することにより、横断面の長方形の寸法が０．４１ｍｍ×０．５６ｍｍのステンレス鋼製ワイヤーを用いた場合と同様な効果を得ることが可能である。ステンレス鋼以外の材料としては、例えば、ステンレス鋼以外の各種の金属（単体金属および合金）、各種の繊維強化プラスチック（ＦＲＰ）、二種類以上の金属の複合金属材料、金属と他の材料、例えば繊維強化プラスチックなどとの複合材料などを用いることができる。ステンレス鋼以外の金属としては、例えばニッケルが挙げられる。繊維強化プラスチックとしては、例えば、炭素繊維強化プラスチック、炭化珪素繊維強化プラスチック、ガラス繊維強化プラスチックなどが挙げられる。ステンレス鋼以外の材料からなるワイヤーは、均一な材料からなるワイヤーだけでなく、例えば、金属からなる芯材とこの芯材を被覆する金属または繊維強化プラスチックからなる被覆層とからなるものであってもよい。好適には、（０．４１±０．０２ｍｍ）×（０．５６±０．０２ｍｍ）の長方形の横断面形状を有するステンレス鋼製ワイヤーまたはこのステンレス鋼製ワイヤーの横断面形状と相似比１：ｐ（ただし、０．９≦ｐ≦１．１）で相似した横断面形状を有するステンレス鋼以外の材料からなるワイヤーが用いられ、最も典型的な一例を挙げると、０．４１ｍｍ×０．５６ｍｍ（０．０１６”×０．０２２”）の長方形の横断面形状を有するステンレス鋼製ワイヤーが用いられる。以上のような細いステンレス鋼製ワイヤーまたはステンレス鋼以外の材料からなるワイヤーを用いることにより、強すぎない適正な矯正力を歯に加えることができるため、歯根吸収を有効に防止することができる。具体的には、例えば、この歯科矯正用ワイヤーを取り付けたとき、患者の上顎歯または下顎歯の両側の中切歯に第三平面に対して垂直方向に１００±３０ｇ重の力が加わり、両側の側切歯に同じく２００±５０ｇ重の力が加わり、両側の犬歯に同じく２５０±５０ｇ重の力が加わるようにすることが���きる。
【００２４】
この歯科矯正用ワイヤーは、典型的には、一本のステンレス鋼製ワイヤーまたはステンレス鋼以外の材料からなるワイヤーの四箇所を折り曲げ加工することによって製造される。すなわち、一本のステンレス鋼製ワイヤーまたはステンレス鋼以外の材料からなるワイヤーの四箇所を折り曲げ加工することにより、第一部分、第二部分、第三部分、第四部分および第五部分が形成される。この歯科矯正用ワイヤーにおいては、第一部分と第二部分との境界の折れ曲がり部および第五部分と第四部分との境界の折れ曲がり部は、左側および右側の第一大臼歯を遠心に傾斜させ、すなわちティップバック（tip back）し、近心に傾斜するのを防止するためのもので、以下においてはティップバックベンド（tip back bend)部と称する。また、第二部分と第三部分との境界の折れ曲がり部および第四部分と第三部分との境界の折れ曲がり部は、この歯科矯正用ワイヤーをブラケットを用いて上顎歯または下顎歯に取り付けた場合に、前歯に唇舌側に傾斜させる回転方向のトルクを加え、後述のように歯科矯正用ワイヤーが前歯に装着されたブラケットのスロット内でロックされたとき、そのときのトルクを保持するためのものであり、以下においてはトルクホールディングベンド（torque holding bend)部と称する。第一平面の第二平面に対する傾斜角度および第三平面の第二平面に対する傾斜角度は、１２°以上２５°以下の範囲内で、使用するワイヤーの材質および横断面の長方形の寸法などに応じて適宜選ばれるが、好適には１２°以上２３°以下、典型的には１５°以上２２°以下、例えば２０°である。
【００２５】
典型的には、この歯科矯正用ワイヤーは、第三部分を二等分し、かつ第二平面に垂直な平面に関してほぼ対称である。また、この歯科矯正用ワイヤーは、典型的には、患者の上顎前歯または下顎前歯の歯冠部の前面に装着したブラケットに取り付けたとき、この歯科矯正用ワイヤーの長手方向の一つの稜がブラケットのスロットの底面に点接触または線接触し、この稜を挟んだ両側の稜がブラケットのスロットの両側面にそれぞれ点接触または線接触する。これによって、歯科矯正用ワイヤーとブラケットとの間に働く摩擦力を極めて小さくすることができることから、小さな矯正力でも歯体移動が可能であり、患者の歯に与える負担の大幅な低減が可能となる。ブラケットのスロットの断面形状は一般的にはほぼ長方形である。
【００２６】
また、この発明は、
歯科矯正用ワイヤーとこの歯科矯正用ワイヤーを取り付けるためのブラケットとからなる歯科矯正用セットであって、
上記歯科矯正用ワイヤーは、
一端から他端に向かってほぼ直線状の第一部分、ほぼ直線状の第二部分、中央のアーチ状の第三部分、ほぼ直線状の第四部分およびほぼ直線状の第五部分を有し、（０．４１±０．０５ｍｍ）×（０．５６±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して１２°以上２５°以下傾斜し、
上記第三平面は上記第二平面に対して上記第一平面と同じ側に１２°以上２５°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有し、
上記ブラケットは、
幅が０．５６±０．０５ｍｍの長方形の断面形状を有するスロットまたは幅が（０．５６±０．０５ｍｍ）×ｐの長方形の断面形状を有するスロットを有する
ことを特徴とする歯科矯正用セットである。
【００２７】
この歯科矯正用セットを用いることにより、この発明による歯科矯正用ワイヤーを用いて歯科矯正を行うことによる効果を最も確実に得ることができる。この歯科矯正用セットにおいては、好適には、歯科矯正用ワイヤーは（０．４１±０．０２ｍｍ）×（０．５６±０．０２ｍｍ）の長方形の横断面形状を有するステンレス鋼製ワイヤーまたはこのステンレス鋼製ワイヤーの横断面形状と相似比１：ｐで相似した横断面形状を有し、このステンレス鋼製ワイヤーと同等の機械的性質を有するステンレス鋼以外の材料からなるワイヤーからなり、第一平面は第二平面に対して１５°以上２２°以下傾斜し、第三平面は第二平面に対して第一平面と同じ側に１５°以上２２°以下傾斜し、ブラケットは幅が０．５６±０．０２ｍｍまたは（０．５６±０．０２ｍｍ）×ｐの長方形の断面形状を有するスロットを有する。
【００２８】
また、この発明は、
一本のステンレス鋼製ワイヤーまたはステンレス鋼以外の材料からなるワイヤーの四箇所を折り曲げ加工することによって、
一端から他端に向かってほぼ直線状の第一部分、ほぼ直線状の第二部分、中央のアーチ状の第三部分、ほぼ直線状の第四部分およびほぼ直線状の第五部分を有し、（０．４１±０．０５ｍｍ）×（０．５６±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して１２°以上２５°以下傾斜し、
上記第三平面は上記第二平面に対して上記第一平面と同じ側に１２°以上２５°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有する歯科矯正用ワイヤーを製造することを特徴とする歯科矯正用ワイヤーの製造方法である。
【００２９】
この歯科矯正用ワイヤーの製造方法の発明においては、上記の歯科矯正用ワイヤーの発明に関連して説明したことが成立する。
【００３０】
また、この発明は、
一端から他端に向かってほぼ直線状の第一部分、ほぼ直線状の第二部分、中央のアーチ状の第三部分、ほぼ直線状の第四部分およびほぼ直線状の第五部分を有し、（０．４３±０．０５ｍｍ）×（０．６４±０．０５ｍｍ）の長方形の横断面形状を有する全体としてアーチ状のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の材料からなるワイヤーからなり、
上記第一部分および上記第五部分はほぼ第一平面内に位置し、
上記第二部分および上記第四部分はほぼ第二平面内に位置し、
上記第三部分はほぼ第三平面内に位置し、
上記ステンレス鋼製ワイヤーまたは上記ステンレス鋼以外の材料からなるワイヤーの横断面の長方形の長辺はほぼ上記第一平面、上記第二平面および上記第三平面に平行であり、
上記第一平面は上記第二平面に対して７°以上２０°以下傾斜し、
上記第三平面は上記第二平面に対して上記第一平面と同じ側に７°以上２０°以下傾斜し、
上記第一部分および上記第五部分はほぼ患者の上顎または下顎の左側または右側の第一大臼歯に張り渡すことができる長さを有し、
上記第二部分および上記第四部分はほぼ患者の上顎または下顎の左側または右側の第一小臼歯および第二小臼歯に張り渡すことができる長さを有し、
上記第三部分はほぼ患者の上顎または下顎の前歯の全体に張り渡すことができる長さを有することを特徴とする歯科矯正用ワイヤーである。
【００３１】
この歯科矯正用ワイヤーは、第二小臼歯を抜歯して歯科矯正を行う際に用いて好適なものである。すなわち、この歯科矯正用ワイヤーは、患者の上顎歯の歯科矯正を行う際には、あらかじめ左側および右側の第二小臼歯が抜歯された状態において、第二部分および第四部分に対して第一部分、第三部分および第五部分を上にした状態で、第一部分が左側の第一大臼歯の歯冠部の前面に装着され、第二部分が左側の第一小臼歯の歯冠部の前面に装着され、第三部分が左側および右側の中切歯、側切歯および犬歯の歯冠部の前面に装着され、第四部分が右側の第一小臼歯の歯冠部の前面に装着され、第五部分が右側の第一大臼歯の歯冠部の前面に装着される。また、患者の下顎歯の歯科矯正を行う際には、あらかじめ左側および右側の第二小臼歯が抜歯された状態において、第二部分および第四部分に対して第一部分、第三部分および第五部分を下にした状態で、第一部分が右側の第一大臼歯の歯冠部の前面に装着され、第二部分が右側の第一小臼歯の歯冠部の前面に装着され、第三部分が左側および右側の中切歯、側切歯および犬歯の歯冠部の前面に装着され、第四部分が左側の第一小臼歯の歯冠部の前面に装着され、第五部分が左側の第一大臼歯の歯冠部の前面に装着される。また、この歯科矯正用ワイヤーは、必要に応じて、例えば、左側の第一小臼歯を抜歯するとともに、右側の第二小臼歯を抜歯し、あるいはその逆に、左側の第二小臼歯を抜歯するとともに、右側の第一小臼歯を抜歯して歯科矯正を行う際に用いることもでき、取り分け、第一大臼歯を近心に移動させる場合に用いて好適なものである。この場合のこの歯科矯正用ワイヤーの具体的な使用方法は、第一小臼歯を抜歯して歯科矯正を行う際に用いて好適な先に述べた歯科矯正用ワイヤーの使用方法と同様である。
【００３２】
この歯科矯正用ワイヤーにステンレス鋼製ワイヤーを用いる場合には、その横断面の長方形の寸法は（０．４３±０．０５ｍｍ）×（０．６４±０．０５ｍｍ）の範囲内で必要に応じて選ばれる。横断面の長方形の寸法が（０．４３±０．０５ｍｍ）×（０．６４±０．０５ｍｍ）の範囲内のステンレス鋼製ワイヤーであれば、必要に応じて第一平面の第二平面に対する傾斜角度や第三平面の第二平面に対する傾斜角度を調整することにより、横断面の長方形の寸法が０．４３ｍｍ×０．６４ｍｍのステンレス鋼製ワイヤーを用いた場合と同様な効果を得ることが可能である。また、歯科矯正用ワイヤーには、このステンレス鋼製ワイヤーと同等の機械的性質（ヤング率、ねじれ剛性など）を有する限り、ステンレス鋼以外の材料からなるワイヤーを用いてもよく、その場合には、ワイヤーの材料に応じて、（０．４３±０．０５ｍｍ）×（０．６４±０．０５ｍｍ）の長方形の横断面形状を有するステンレス鋼製ワイヤーの横断面形状と相似比１：ｐ（ただし、０．９≦ｐ≦１．１）で相似した横断面形状を有するようにする。こうすることで、ステンレス鋼以外の材料からなるワイヤーを用いても、必要に応じて第一平面の第二平面に対する傾斜角度や第三平面の第二平面に対する傾斜角度を調整することにより、横断面の長方形の寸法が０．４３ｍｍ×０．６４ｍｍのステンレス鋼製ワイヤーを用いた場合と同様な効果を得ることが可能である。好適には、（０．４３±０．０２ｍｍ）×（０．６４±０．０２ｍｍ）の長方形の横断面形状を有するステンレス鋼製ワイヤーまたはこのステンレス鋼製ワイヤーの横断面形状と相似比１：ｐ（ただし、０．９≦ｐ≦１．１）で相似した横断面形状を有するステンレス鋼以外の材料からなるワイヤーが用いられ、最も典型的な一例を挙げると、０．４３ｍｍ×０．６４ｍｍ（０．０１７”×０．０２５”）の長方形の横断面形状を有するステンレス鋼製ワイヤーが用いられる。
【００３３】
第一平面の第二平面に対する傾斜角度および第三平面の第二平面に対する傾斜角度は、７°以上２０°以下の範囲内で、使用するワイヤーの材質および横断面の長方形の寸法などに応じて適宜選ばれるが、好適には８°以上１８°以下、典型的には１０°以上１７°以下、例えば１５°である。
【００３４】
この歯科矯正用ワイヤーの上記以外のことは、その性質に反しない限り、第一小臼歯を抜歯して歯科矯正を行う場合に適用して好適な上記の歯科矯正用ワイヤーに関連して説明したことが成立する。
【００３５】
また、この発明は、
前端に顎部を有し、後端側に握り柄を有する第一アームと、
前端に顎部を有し、後端側に握り柄を有する第二アームとを有し、
上記第一アームと上記第二アームとは連結軸によって、この連結軸の周りに回転可能な状態で互いにＸ字状に連結され、
上記第一アームの上記顎部の、上記第二アームの上記顎部と対向する面に、上記第一アームに沿う方向に延在する三角柱状の凸部が設けられ、
上記第二アームの上記顎部の、上記第一アームの上記顎部と対向する面に、上記第二アームに沿う方向に延在する三角柱状の凹部が設けられ、
上記第一アームの上記顎部の上記凸部の長手方向に垂直な断面における三角形の頂角は１５５°以上１７３°以下であり、
上記第二アームの上記顎部の上記凹部の長手方向に垂直な断面における三角形の頂角は１５５°以上１７３°以下であり、
上記第一アームと上記第二アームとを上記連結軸の周りに回転させて上記第一アームの上記顎部と上記第二アームの上記顎部とを閉じたとき、上記第一アームの上記顎部の上記凸部と上記第二アームの上記顎部の上記凹部とが互いにはまり合うように構成されていることを特徴とする歯科矯正用ワイヤー製造用プライヤーである。
【００３６】
ここで、第一アームの顎部の凸部と第二アームの顎部の凹部とは、それらの間に１本あるいは複数本のワイヤーを挟んで折り曲げることができるようにそれらの長さが決められる。
【発明の効果】
【００３７】
この発明による歯科矯正用ワイヤーによれば、上顎前歯または下顎前歯などに装着したブラケットならびに左側および右側の第一大臼歯に装着したボンダブルチューブを用いて取り付け、さらにこれらのブラケットに適正矯正力を考慮して選択されるパワーチェーンを引き伸ばしながら引っ掛けるとともに、左側および右側の第一大臼歯に装着したボンダブルチューブにパワーチェーンの両端を固定する。そして、一定期間その状態を維持すると、トルクホールディングベンド部を中心に第三部分がそれぞれ下側または上側に折り曲げられることにより発生する、第三平面に垂直でほぼ鉛直方向の矯正力と、歯科矯正用ワイヤーの両端を左側および右側の第一大臼歯に固定し、さらにパワーチェーンを取り付けたことにより発生するほぼ水平方向の矯正力との合力が、左側および右側の中切歯、側切歯および犬歯に対して働く。その結果、最終的にこれらの歯の歯根の中心軸（あるいは歯軸）の延長線の交点として設定される仮設的な点に向かってこれらの歯の歯根が整列するようこれらの歯を三次元的に歯体移動させることができる。この際、ジグリングを行わないので、歯根吸収を有効に防止することができる。また、トルクホールディングベンド部のベンド角が、第一小臼歯を抜歯して歯科矯正を行う場合に使用して好適な歯科矯正用ワイヤーでは１２°以上２５°以下、第二小臼歯を抜歯して歯科矯正を行う場合に使用して好適な歯科矯正用ワイヤーでは７°以上２０°以下と大きいことにより、この歯科矯正用ワイヤーの太さが小さくて済むことから、強すぎない適正な矯正力を得ることができ、それによって矯正に際して組織のダメージを最小限に抑えることができる。また、この発明による歯科矯正用ワイヤーの製造方法によれば、折り曲げ加工により上記の歯科矯正用ワイヤーを容易に製造することができる。さらに、この発明による歯科矯正用ワイヤー製造用プライヤーによれば、ワイヤーの折り曲げ加工を容易に行うことができ、それによって上記の歯科矯正用ワイヤーを容易に製造することができる。
【図面の簡単な説明】
【００３８】
【図１】この発明の一実施の形態による歯科矯正用ワイヤーを示す平面図、右側面図、左側面図、正面図および拡大断面図である。
【図２】この発明の一実施の形態による歯科矯正用ワイヤーの製造方法の第一例を示す略線図である。
【図３】この発明の一実施の形態による歯科矯正用ワイヤーの製造方法の第二例を示す略線図である。
【図４】この発明の一実施の形態による歯科矯正用ワイヤーの製造に用いて好適な歯科矯正用ワイヤー製造用プライヤーを示す側面図である。
【図５】この発明の一実施の形態による歯科矯正用ワイヤーの製造に用いて好適な歯科矯正用ワイヤー製造用プライヤーを示す斜視図である。
【図６】この発明の一実施の形態による歯科矯正用ワイヤーの製造に用いて好適な歯科矯正用ワイヤー製造用プライヤーを示す斜視図である。
【図７】この発明の一実施の形態による歯科矯正用ワイヤーの製造に用いて好適な歯科矯正用ワイヤー製造用プライヤーを示す側面図である。
【図８】この発明の一実施の形態による歯科矯正用ワイヤーの製造に用いて好適な歯科矯正用ワイヤー製造用プライヤーを示す正面図である。
【図９】この発明の一実施の形態による歯科矯正用ワイヤーの製造に用いて好適な歯科矯正用ワイヤー製造用プライヤーを示す断面図である。
【図１０】この発明の一実施の形態による歯科矯正用ワイヤーを歯科矯正用ワイヤー製造用プライヤーを用いて製造する方法を示す斜視図である。
【図１１】この発明の一実施の形態による歯科矯正用ワイヤーを歯科矯正用ワイヤー製造用プライヤーを用いて製造する方法を示す斜視図である。
【図１２】この発明の一実施の形態による歯科矯正用ワイヤーを歯科矯正用ワイヤー製造用プライヤーを用いて製造する方法を示す断面図である。
【図１３】上顎歯および下顎歯にブラケットにより歯科矯正用ワイヤーを取り付けた状態を示す平面図である。
【図１４】上顎歯および下顎歯にブラケットにより歯科矯正用ワイヤーを取り付けた状態を示す斜視図である。
【図１５】上顎歯に用いられるブラケットおよびボンダブルチューブの一例を示す斜視図である。
【図１６】上顎歯にブラケットにより歯科矯正用ワイヤーが取り付けられた状態を示す斜視図である。
【図１７】下顎歯にブラケットにより歯科矯正用ワイヤーが取り付けられた状態を示す斜視図である。
【図１８】上顎歯に装着されたブラケットにより歯科矯正用ワイヤーが取り付けられた状態を示す展開図および歯科矯正用ワイヤーの各部の横断面図である。
【図１９】図１８Ａに示す歯科矯正用ワイヤーの上顎右側第一小臼歯から上顎右側犬歯にかけての部分を拡大して示す略線図である。
【図２０】上顎歯に装着されたブラケットに取り付けられた状態の歯科矯正用ワイヤーの平面図である。
【図２１】上顎右側中切歯に装着されたブラケットおよびこのブラケットのスロット内に通された歯科矯正用ワイヤーを示す断面図である。
【図２２】上顎右側側切歯に装着されたブラケットおよびこのブラケットのスロット内に通された歯科矯正用ワイヤーを示す断面図である。
【図２３】上顎右側犬歯に装着されたブラケットおよびこのブラケットのスロット内に通された歯科矯正用ワイヤーを示す断面図である。
【図２４】上顎右側第一小臼歯に装着されたブラケットおよびこのブラケットのスロット内に通された歯科矯正用ワイヤーを示す断面図である。
【図２５】この発明の一実施の形態による歯科矯正用ワイヤーにより可能になる歯体移動を説明するための略線図である。
【図２６】この発明の一実施の形態による歯科矯正用ワイヤーの使用方法の具体例を示す略線図である。
【図２７】この発明の一実施の形態による歯科矯正用ワイヤーの使用方法の他の具体例を示す略線図である。
【図２８】この発明の一実施の形態による歯科矯正用ワイヤーを使用して実際に歯科矯正治療を行った一例を説明するための図面代用写真である。
【図２９】この発明の一実施の形態による歯科矯正用ワイヤーを使用して実際に歯科矯正治療を行った一例を説明するための図面代用写真である。
【図３０】この発明の一実施の形態による歯科矯正用ワイヤーを使用して実際に歯科矯正治療を行った一例を説明するための図面代用写真である。
【図３１】図３０に示した歯科矯正用ワイヤーおよびパワーチェーンを撮影した写真を示す図面代用写真である。
【図３２】この発明の一実施の形態による歯科矯正用ワイヤーを使用して実際に歯科矯正治療を行った一例を説明するための図面代用写真である。
【図３３】この発明の一実施の形態による歯科矯正用ワイヤーを使用して実際に歯科矯正治療を行った一例を説明するための図面代用写真である。
【図３４】この発明の一実施の形態による歯科矯正用ワイヤーを使用して実際に歯科矯正治療を行った一例を説明するための図面代用写真である。
【図３５】この発明の一実施の形態による歯科矯正用ワイヤーを使用して実際に歯科矯正治療を行った一例を説明するための図面代用写真である。
【図３６】この発明の一実施の形態による歯科矯正用ワイヤーを使用して実際に歯科矯正治療を行った一例を説明するための図面代用写真である。
【図３７】この発明の一実施の形態による歯科矯正用ワイヤーを使用して実際に歯科矯正治療を行った患者の治療開始前のパノラマＸ線写真を示す図面代用写真である。
【図３８】この発明の一実施の形態による歯科矯正用ワイヤーを使用して実際に歯科矯正治療を行った患者の治療完了後のパノラマＸ線写真を示す図面代用写真である。
【図３９】従来の歯科矯正治療により歯根吸収が起こるメカニズムを説明するための略線図である。
【発明を実施するための形態】
【００３９】
以下、発明を実施するための形態（以下「実施の形態」と言う。）について説明する。なお、説明は以下の順序で行う。
【００４０】
［歯科矯正用ワイヤー］
［歯科矯正用ワイヤーの製造方法］
［歯科矯正用ワイヤー製造用プライヤー］
［歯科矯正用ワイヤー製造用プライヤーの使用方法］
［歯科矯正用ワイヤーの使用方法］
【００４１】
［歯科矯正用ワイヤー］
まず、歯科矯正治療において用いる、一実施の形態による歯科矯正用ワイヤーについて説明する。
【００４２】
図１Ａ〜Ｄにこの歯科矯正用ワイヤー１１を示す。ここで、図１Ａは平面図、図１Ｂは右側面図、図１Ｃは左側面図、図１Ｄは正面図である。
【００４３】
図１Ａ〜Ｄに示すように、この歯科矯正用ワイヤー１１は、一端から他端に向かって、ほぼ直線状の第一部分１１ａ、ほぼ直線状の第二部分１１ｂ、中央のアーチ状の第三部分１１ｃ、ほぼ直線状の第四部分１１ｄおよびほぼ直線状の第五部分１１ｅを有し、長方形の横断面形状を有する全体としてアーチ状の金属ワイヤーからなる。この金属ワイヤーの横断面の長方形の短辺の長さはａ、長辺の長さはｂ（ｂ＞ａ）である。図１Ａに示す第一部分１１ａのＥ−Ｅ線に沿う横断面形状を図１Ｅに示す。第一小臼歯を抜歯して歯科矯正を行う場合に使用して好適な歯科矯正用ワイヤー１１においては、この金属ワイヤーは、ａ×ｂ＝（０．４１±０．０５ｍｍ）×（０．５６±０．０５ｍｍ）のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の金属からなるワイヤーからなる。一方、第二小臼歯を抜歯して歯科矯正を行う場合に使用して好適な歯科矯正用ワイヤー１１においては、この金属ワイヤーは、ａ×ｂ＝（０．４３±０．０５ｍｍ）×（０．６４±０．０５ｍｍ）のステンレス鋼製ワイヤーまたはこのステンレス鋼製ワイヤーの横断面形状と相似比１：ｐ（ただし、０．９≦ｐ≦１．１）で相似した横断面形状を有し、このステンレス鋼製ワイヤーと同等の機械的性質を有するステンレス鋼以外の金属からなるワイヤーからなる。ここで、第一部分１１ａおよび第五部分１１ｅはほぼ第一平面内に位置し、第二部分１１ｂおよび第四部分１１ｄはほぼ第二平面内に位置し、第三部分１１ｃはほぼ第三平面内に位置する。金属ワイヤーの横断面の長方形の長辺は、第一平面、第二平面および第三平面にほぼ平行である。この場合、第一部分１１ａおよび第五部分１１ｅが位置する第一平面は、第二部分１１ｂおよび第四部分１１ｄが位置する第二平面に対して角度θ1 傾斜している。また、第三部分１１ｃが位置する第三平面は、第二部分１１ｂおよび第四部分１１ｄが位置する第二平面に対して、第一部分１１ａおよび第五部分１１ｅが位置する第一平面と同じ側に角度θ2 傾斜している。第一小臼歯を抜歯して歯科矯正を行う場合に使用して好適な歯科矯正用ワイヤー１１においては、θ1 およびθ2 は１２°以上２５°以下であり、典型的には１５°以上２２°以下、例えば２０°である。典型的にはθ1 ＝θ2 であるが、これに限定されるものではない。一方、第二小臼歯を抜歯して歯科矯正を行う場合に使用して好適な歯科矯正用ワイヤー１１においては、θ1 は７°以上２０°以下であり、典型的には１０°以上１７°以下、例えば１５°である。典型的にはθ1 ＝θ2 であるが、これに限定されるものではない。必要に応じて、歯科矯正用ワイヤー１１の左側半分のθ1 と右側半分のθ1 とを互いに異ならせてもよく、左側半分のθ2 と右側半分のθ2 とを互いに異ならせてもよい。第一部分１１ａは、歯科矯正治療を行う患者の上顎または下顎の左側または右側の第一大臼歯に張り渡すことができる長さＬ1 を有する。第二部分１１ｂは、左側または右側の第一小臼歯および第二小臼歯に張り渡すことができる長さＬ2 を有する。第三部分１１ｃは、前歯の全体に���り渡すことができる長さＬ3 を有する。第四部分１１ｄは、左側または右側の第一小臼歯および第二小臼歯に張り渡すことができる長さＬ4 を有する。第五部分１１ｅは、左側または右側の第一大臼歯に張り渡すことができる長さＬ5 を有する。Ｌ1 〜Ｌ5 は、歯科矯正治療を行う患者に応じて適宜選択されるが、具体例を挙げると、第一部分１１ａの長さＬ1 および第五部分１１ｅの長さＬ5 は例えば５ｍｍ以上１８ｍｍ以下、第二部分１１ｂの長さＬ2 および第四部分１１ｅの長さＬ4 は例えば７ｍｍ以上２０ｍｍ以下、第三部分１１ｃの長さＬ3 は例えば４０ｍｍ以上８０ｍｍ以下である。第一部分１１ａと第二部分１１ｂとの境界の折れ曲がり部はティップバックベンド部ＢTB、第二部分１１ｂと第三部分１１ｃとの境界の折れ曲がり部はトルクホールディングベンド部ＢTHである。同様に、第五部分１１ｅと第四部分１１ｄとの境界の折れ曲がり部はティップバックベンド部ＢTB、第四部分１１ｄと第三部分１１ｃとの境界の折れ曲がり部はトルクホールディングベンド部ＢTHである。
【００４４】
この歯科矯正用ワイヤー１１を構成する長方形の横断面形状を有する金属ワイヤーは、最も好適には、歯科矯正用ワイヤー１１が第一小臼歯を抜歯して歯科矯正を行う場合に使用して好適なものである場合には、ａ×ｂ＝０．０１６”×０．０２２”（０．４１ｍｍ×０．５６ｍｍ）の長方形の横断面形状を有するステンレス鋼製ワイヤー、歯科矯正用ワイヤー１１が第二小臼歯を抜歯して歯科矯正を行う場合に使用して好適なものである場合には、ａ×ｂ＝０．０１７”×０．０２５”（０．４３ｍｍ×０．６４ｍｍ）の長方形の横断面形状を有するステンレス鋼製ワイヤーが用いられるが、これに限定されるものではない。
【００４５】
［歯科矯正用ワイヤーの製造方法］
この歯科矯正用ワイヤー１１の製造方法の第一例について説明する。
図２Ａに示すように、歯科矯正用ワイヤー１１と同じ長方形の横断面形状を有し、あらかじめアーチ状に湾曲した金属ワイヤー２０を用意する。
【００４６】
次に、図２Ｂに示すように、この金属ワイヤー２０を一端から長さＬ1 のＡ点でこの金属ワイヤー２０の横断面の長方形の長辺に対して垂直方向に角度θ1 折り曲げ、第一部分１１ａを形成する。
【００４７】
次に、図２Ｃに示すように、この金属ワイヤー２０をＡ点から長さＬ2 のＢ点で同様にして角度θ2 折り曲げ、第二部分１１ｂを形成する。
【００４８】
次に、図２Ｄに示すように、同様にして、金属ワイヤー２０を他端から長さＬ5 のＣ点で角度θ1 折り曲げ、第五部分１１ｅを形成する。
【００４９】
次に、図２Ｅに示すように、この金属ワイヤー２０をＣ点から長さＬ4 のＤ点で同様にして角度θ2 折り曲げ、第四部分１１ｄを形成する。この金属ワイヤー２０の第二部分１１ｂと第四部分１１ｄとの間の部分が第三部分１１ｃとなる。
【００５０】
こうして、図２Ｆに示すように、目的とする歯科矯正用ワイヤー１１が製造される。
【００５１】
この歯科矯正用ワイヤー１１の製造方法の第二例について説明する。
【００５２】
図３Ａに示すように、歯科矯正用ワイヤー１１の全長に相当する長さを有し、歯科矯正用ワイヤー１１と同じ長方形の横断面形状を有する直線状の金属ワイヤー２０を用意する。
【００５３】
次に、図３Ｂに示すように、この金属ワイヤー２０を一端から長さＬ1 のＡ点でこの金属ワイヤー２０の横断面の長方形の長辺に対して垂直方向に角度θ1 折り曲げ、第一部分１１ａを形成する。
【００５４】
次に、図３Ｃに示すように、この金属ワイヤー２０をＡ点から長さＬ2 のＢ点で同様にして角度θ2 折り曲げ、第二部分１１ｂを形成する。
【００５５】
次に、図３Ｄに示すように、同様にして、この金属ワイヤー２０を他端から長さＬ5 の点で角度θ1 折り曲げて第五部分１１ｅを形成し、さらにその点から長さＬ4 の点で角度θ2 折り曲げて第四部分１１ｄを形成する。この金属ワイヤー２０の第二部分１１ｂと第四部分１１ｄとの間の部分が第三部分１１ｃとなる。
【００５６】
次に、図３Ｅに示すように、こうして四箇所で折り曲げられた金属ワイヤー２０の全体をアーチ状に湾曲させる。
【００５７】
以上により、目的とする歯科矯正用ワイヤー１１が製造される。
【００５８】
この歯科矯正用ワイヤー１１の製造方法の第三例について説明する。
【００５９】
この製造方法においては、直線状の金属ワイヤー２０をアーチ状に湾曲させてから、図２Ａ〜Ｅに示す製造方法と同様にしてＡ点、Ｂ点、Ｃ点およびＤ点の四箇所で折り曲げることにより歯科矯正用ワイヤー１１を製造する。
【００６０】
この歯科矯正用ワイヤー１１の製造方法の第四例について説明する。
【００６１】
この製造方法においては、アーチ状または直線状の金属ワイヤー２０を用意し、この金属ワイヤー２０を所定の金型を用いてプレス成形することによりＡ点、Ｂ点、Ｃ点およびＤ点の四箇所で一度に折り曲げて、歯科矯正用ワイヤー１１を製造する。
【００６２】
［歯科矯正用ワイヤー製造用プライヤー］
歯科矯正用ワイヤー１１を折り曲げ加工により製造する際に用いて好適な、一実施の形態による歯科矯正用ワイヤー製造用プライヤーについて説明する。
【００６３】
この歯科矯正用ワイヤー製造用プライヤー１００の一側面図を図４に、互いに異なる二つの方向から見た斜視図を図５および図６に、顎部を閉じた状態の側面図を図７に、顎部を閉じた状態の正面図を図８に示す。
【００６４】
図４〜図８に示すように、この歯科矯正用ワイヤー製造用プライヤー１００は、第一アーム１０１および第二アーム１０２を有する。第一アーム１０１および第二アーム１０２は、全体として緩やかな曲線からなるほぼＳ字状に湾曲した形状を有する。図４においては、第一アーム１０１および第二アーム１０２が開いた状態が示されている。第一アーム１０１および第二アーム１０２は、連結軸１０３によって、この連結軸１０３の周りに回転可能な状態で互いにＸ字状に連結されている。連結軸１０３は、第一アーム１０１の第二アーム１０２と対向する面に設けられた円柱状の凸部からなり、この凸部が第二アーム１０２の第一アーム１０１と対向する面に設けられた円柱状の穴に嵌合している。
【００６５】
第一アーム１０１は、前端に顎部１０４を有し、後端側に握り柄１０５を有する。握り柄１０５の外面は例えばチューブ状のプラスチック成形品からなるグリップ１０６で覆われている。同様に、第二アーム１０２は、前端に顎部１０７を有し、後端側に握り柄１０８を有する。握り柄１０８の外面は例えばプラスチック成形品からなるグリップ１０９で覆われている。第一アーム１０１および第二アーム１０２の材質は、ステンレス鋼製ワイヤーなどの金属ワイヤーの折り曲げ加工が可能な、十分に高い機械的強度を有する材料であれば特に限定されないが、例えば鉄鋼材料（炭素工具鋼、機械構造用炭素鋼など）である。
【００６６】
第一アーム１０１の顎部１０４の先端側には挟持部１１０が内側に向かって少し突出した状態で設けられている。同様に、第二アーム１０２の顎部１０７の先端側には挟持部１１１が内側に向かって少し突出した状態で設けられている。図９Ａは第一アーム１０１の顎部１０４の挟持部１１０の横断面図（図４のＡ−Ａ線に沿っての拡大断面図）、図９Ｂは第二アーム１０２の顎部１０７の挟持部１１１の横断面図（図４のＢ−Ｂ線に沿っての拡大断面図）、図９Ｃは顎部１０４および顎部１０７が閉じた状態の挟持部１１０および挟持部１１１を示す断面図である。図４〜図８および図９Ａに示すように、第一アーム１０１の顎部１０４の挟持部１１０の、第二アーム１０２の顎部１０７の挟持部１１１と対向する面に、第一アーム１０１に沿う方向に延在して三角柱状の凸部１１２（図５参照）が設けられている。また、図４〜図８および図９Ｂに示すように、第二アーム１０２の顎部１０７の挟持部１１１の、第一アーム１０１の顎部１０４の挟持部１１０と対向する面に、第二アーム１０２に沿う方向に延在する三角柱状の凹部１１３（図６参照）が設けられている。図９Ａに示すように、第一アーム１０１の顎部１０４の挟持部１１０の凸部１１２の長手方向に垂直な断面における三角形の頂角φ1 は１５５°以上１７３°以下であり、この範囲から製造する歯科矯正用ワイヤー１１のθ1 、θ2 に応じて決められる。同様に、図９Ｂに示すように、第二アーム１０２の顎部１０７の挟持部１１１の凹部１１３の長手方向に垂直な断面における三角形の頂角φ2 は１５５°以上１７３°以下であり、典型的には、第一アーム１０１の顎部１０４の挟持部１１０の凸部１１２の長手方向に垂直な断面における三角形の頂角φ1 と同じに選ばれる。第一アーム１０１と第二アーム１０２とを連結軸１０３の周りに回転させて第一アーム１０１の顎部１０４と第二アーム１０２の顎部１０７とを閉じたとき、第一アーム１０１の顎部１０４の挟持部１１０の凸部１１２と第二アーム１０２の顎部１０７の挟持部１１１の凹部１１３とが互いにはまり合うように構成されている。図９Ｃに第一アーム１０１の顎部１０４の挟持部１１０の凸部１１２と第二アーム１０２の顎部１０７の挟持部１１１の凹部１１３とが互いにはまり合った状態を示す。
【００６７】
［歯科矯正用ワイヤー製造用プライヤーの使用方法］
上記の歯科矯正用ワイヤー製造用プライヤー１００の使用方法について説明する。ここでは、アーチ状の金属ワイヤーを用いて歯科矯正用ワイヤーを製造する場合を考えるが、直線状の金属ワイヤーを用いた場合も同様である。
【００６８】
図１０および図１１に示すように、歯科矯正用ワイヤー１１を製造する者が、アーチ状の金属ワイヤー２０を一方の手（図示せず）で持ち、もう一方の手（図示せず）で歯科矯正用ワイヤー製造用プライヤー１００の第一アーム１０１の握り柄１０６と第二アーム１０２の握り柄１０９とを持つ。次に、第一アーム１０１の顎部１０４と第二アーム１０２の顎部１０７とを少し開いた状態で、顎部１０４の挟持部１１０の凸部１１２と顎部１０７の挟持部１１１の凹部１１３との間に金属ワイヤー２０を通す。金属ワイヤー２０を通す方向は、第一アーム１０１と第二アーム１０２とにより形成される平面と直交し、かつ、凸部１１２および凹部１１３の延在方向と直交する方向である。次に、第一アーム１０１の握り柄１０６と第二アーム１０２の握り柄１０９とを握って顎部１０４と顎部１０７とを閉じ、凸部１１２と凹部１１３との間に金属ワイヤー２０を挟む。この状態を図１２Ａに示す。次に、第一アーム１０１の握り柄１０６と第二アーム１０２の握り柄１０９とをより強く握って顎部１０４と顎部１０７とをより閉じると、図１２Ｂに示すように、凹部１１３の両端で支持された金属ワイヤー２０の中央部が凸部１１２の先端部で押されることにより金属ワイヤー２０が折れ曲がり始める。第一アーム１０１と第二アーム１０２とをさらに強く握って顎部１０４と顎部１０７とを限界まで閉じ、金属ワイヤー２０を凸部１１２の斜面と凹部１１３の斜面との間に完全に挟まれた状態で接触させる。この状態を一定時間継続した後、第一アーム１０１の握り柄１０６と第二アーム１０２の握り柄１０９との間を広げて顎部１０４と顎部１０７とを開き、折り曲げ加工が終わった金属ワイヤー２０を取り出す。この後、金属ワイヤー２０の長手方向の位置をずらして上述と同様な折り曲げ加工を行い、図１Ａ〜Ｅに示すように、目的とする歯科矯正用ワイヤー１１を製造する。
【００６９】
［歯科矯正用ワイヤー１１の使用方法］
歯科矯正治療における歯科矯正用ワイヤー１１の使用方法について説明する。歯科矯正用ワイヤー１１の使用に際しては、事前に、抜歯を行うか否か、どの歯を抜歯するかについて判断し、必要な抜歯を行う。また、歯科矯正治療を行う上顎歯および／または下顎歯のレベリングやアライメント、歯列弓形態の修正、捻転歯のある程度の修正（約８０％）などを行う。
【００７０】
こうして、上顎歯および／または下顎歯が、歯科矯正用ワイヤー１１を使用した歯科矯正治療を開始するのに適切な状態となったら、歯科矯正用ワイヤー１１を使用した歯科矯正治療を行う。この状態では通常、各歯の歯冠部はある程度整列した状態にあるものの、歯軸の方向はばらばらである。
【００７１】
図１３Ａは上顎歯を口腔内から上側に見た図、図１３Ｂは下顎歯を口腔内から下側に見た図である。図１３ＡおよびＢにおいて、符号１Ｌおよび１Ｒはそれぞれ左側および右側の中切歯、２Ｌおよび２Ｒはそれぞれ左側および右側の側切歯、３Ｌおよび３Ｒはそれぞれ左側および右側の犬歯、４Ｌおよび４Ｒはそれぞれ左側および右側の第一小臼歯、５Ｌおよび５Ｒはそれぞれ左側および右側の第二小臼歯、６Ｌおよび６Ｒはそれぞれ左側および右側の第一大臼歯、７Ｌおよび７Ｒはそれぞれ左側および右側の第二大臼歯、８Ｌおよび８Ｒはそれぞれ左側および右側の第三大臼歯を示す。ただし、図１３ＡおよびＢでは、各歯がほぼ理想的に配列している場合が図示されている。
【００７２】
図１３Ａに示すように、上顎の中切歯１Ｌおよび１Ｒ、側切歯２Ｌおよび２Ｒ、犬歯３Ｌおよび３Ｒ、第一小臼歯４Ｌおよび４Ｒならびに第二小臼歯５Ｌおよび５Ｒの歯冠部の前面のほぼ中央部に歯科用接着剤を用いてブラケット２０１をそれぞれ接着し、第一大臼歯６Ｌおよび６Ｒの歯冠部の前面のほぼ中央部にはボンダブルチューブ２０２を同様に接着する。ただし、実際には、第一小臼歯４Ｌおよび４Ｒまたは第二小臼歯５Ｌおよび５Ｒが抜歯される。そして、歯科矯正用ワイヤー１１の第二部分１１ｂおよび第四部分１１ｄに対して第一部分１１ａ、第三部分１１ｃおよび第五部分１１ｅを上にし、第一部分１１ａ、第三部分１１ｃおよび第五部分１１ｅを第二部分１１ｂおよび第四部分１１ｄに対して下側に曲げ、水平に近くなった状態で、これらのブラケット２０１のスロット内に歯科矯正用ワイヤー１１の第二部分１１ｂ、第三部分１１ｃおよび第四部分１１ｄを通し、歯科矯正用ワイヤー１１の第一部分１１ａおよび第五部分１１ｅをボンダブルチューブ２０２に通し、ボンダブルチューブ２０２から後方に出た第一部分１１ａおよび第五部分１１ｅの先端部を折り曲げて第一部分１１ａおよび第五部分１１ｅをボンダブルチューブ２０２に固定する。これによって、第一部分１１ａが左側の第一大臼歯６Ｌの歯冠部の前面に装着され、第二部分１１ｂが左側の第一小臼歯４Ｌおよび第二小臼歯５Ｌ（実際には、第一小臼歯４Ｌおよび第二小臼歯５Ｌのうちの一方）の歯冠部の前面に装着され、第三部分１１ｃが左側および右側の中切歯１Ｌおよび１Ｒ、側切歯２Ｌおよび２Ｒならびに犬歯３Ｌおよび３Ｒの歯冠部の前面に装着され、第四部分１１ｄが右側の第一小臼歯４Ｒおよび第二小臼歯５Ｒ（実際には、第一小臼歯４Ｒおよび第二小臼歯５Ｒのうちの一方）の歯冠部の前面に装着され、第五部分１１ｅが右側の第一大臼歯６Ｒの歯冠部の前面に装着される。この後、適正矯正力を考慮して適正な水平方向の矯正力が働くように選択されたパワーチェーン（図示せず）の一端を、第一大臼歯６Ｌおよび６Ｒの一方に装着したボンダブルチューブ２０２のフック（図１５Ｆ参照）に引っ掛けて固定し、パワーチェーンを引き伸ばしながら上顎前歯などに装着した各ブラケット２０１に引っ掛け、第一大臼歯６Ｌおよび６Ｒの他方に装着したボンダブルチューブ２０２のフックにパワーチェーンの他端を引っ掛けて固定する。図１３Ｂに示すように、下顎歯にも同様にして歯科矯正用ワイヤー１１を取り付け、パワーチェーンを引っ掛ける。適正な水平方向の矯正力は、具体的には、例えば、０．４１ｍｍ×０．５６ｍｍ（０．０１６”×０．０２２”）の長方形の横断面形状を有するステンレス鋼製ワイヤーを用い、前歯を後方に移動させる（後方に下げる）場合には、一般的には１００〜２００ｇ重の力、０．４３ｍｍ×０．６４ｍｍ（０．０１７”×０．０２５”）の長方形の横断面形状を有するステンレス鋼製ワイヤーを用い、第一大臼歯６Ｌおよび６Ｒを近心に移動させる場合には、一般的には３００〜４００ｇ重の力である。
【００７３】
図１４は上顎歯および下顎歯に歯科矯正用ワイヤー１１が取り付けられた状態を示す斜視図である。ただし、図１４においては、上顎歯および下顎歯とも、歯肉で覆われておらず外部に露出している部分のみ示されている。
【００７４】
ブラケット２０１のトルク角、アンギュレーション（angulation) 角、オフセット角およびスパン（左側および右側のウィングの外側の側面間の距離）は各歯ごとに決められる。ブラケット２０１の一例として、上顎右側中切歯用、上顎右側側切歯用、上顎右側犬歯用、上顎右側第一小臼歯用および上顎右側第二小臼歯用のブラケット２０１をそれぞれ図１５Ａ〜Ｅに示す。また、第一大臼歯６Ｌおよび６Ｒ用のボンダブルチューブ２０２の一例を図１５Ｆに示す。一例として、株式会社トミーインターナショナル製の「マイクロアーチ  フォーミュラーＲ（ロスタイプ）上顎」を用いる場合について説明すると、次の通りである。図１５Ａに示す上顎中切歯用のブラケット２０１のトルク角は１２°、アンギュレーション角は５°、オフセット角は０°、スパンは３．４ｍｍ、図１５Ｂに示す上顎側切歯用のブラケット２０１のトルク角は８°、アンギュレーション角は９°、オフセット角は０°、スパンは２．６ｍｍ、図１５Ｃに示す上顎犬歯用のブラケット２０１のトルク角は−２°、アンギュレーション角は１０°、オフセット角は４°、スパンは２．６ｍｍ、図１５ＤおよびＥに示す上顎右側第一小臼歯用および上顎右側第二小臼歯用のブラケット２０１のトルク角は−７°、アンギュレーション角は０°、オフセット角は２°、スパンは２．６ｍｍである。図１５Ａ〜Ｅにおいて、符号２０１ａはブラケット２０１のスロットを示す。スロット２０１ａの断面形状は一般的にはほぼ長方形である。ボンダブルチューブ２０２のトルク角は−１４°、アンギュレーション角は０°、オフセット角は１４°、スパンは４．０ｍｍである。
【００７５】
歯科矯正用ワイヤー１１の使用により、組織にダメージをほとんど与えることなく三次元的な歯体移動が可能となることは、本発明者が長年にわたって歯科矯正治療を行った結果により実証済みである。歯科矯正用ワイヤー１１の使用により三次元的な歯体移動が可能となるメカニズムは現時点では未だ理論的に完全に解明されていないが、以下においては、このメカニズムの理論的説明を試みる。
【００７６】
既に述べたように、歯科矯正用ワイヤー１１は、図１Ａ〜Ｄに示すように、第一部分１１ａと第二部分１１ｂとの境界にティップバックベンド部ＢTB、第二部分１１ｂと第三部分１１ｃとの境界にトルクホールディングベンド部ＢTH、第五部分１１ｅと第四部分１１ｄとの境界にティップバックベンド部ＢTB、第四部分１１ｄと第三部分１１ｃとの境界にトルクホールディングベンド部ＢTHを有する。このため、歯科矯正用ワイヤー１１は、各ブラケット２０１のスロット２０１ａおよびボンダブルチューブ２０２に通されたとき、第三部分１１ｃは、トルクホールディングベンド部ＢTHを中心として、第二部分１１ｂおよび第四部分１１ｄに対して、上顎歯用の歯科矯正用ワイヤー１１にあっては図１６に示すように下側に折れ曲がり、下顎歯用の歯科矯正用ワイヤー１１にあっては図１７に示すように上側に折れ曲がる。また、第一部分１１ａおよび第五部分１１ｅは、ティップバックベンド部ＢTBを中心として、第二部分１１ｂおよび第四部分１１ｄに対して、上顎歯用の歯科矯正用ワイヤー１１にあっては図１６に示すように下側に折れ曲がり、下顎歯用の歯科矯正用ワイヤー１１にあっては図１７に示すように上側に折れ曲がる。この結果、第一部分１１ａおよび第五部分１１ｅと第三部分１１ｃとは互いにほぼ同一平面内に位置するようになる。一方、第二部分１１ｂおよび第四部分１１ｄは、第三部分１１ｃがトルクホールディングベンド部ＢTHを中心として第二部分１１ｂおよび第四部分１１ｄに対して折れ曲がっている結果、上顎歯用の歯科矯正用ワイヤー１１にあっては図１６に示すように上側に山形状に湾曲し、下顎歯用の歯科矯正用ワイヤー１１にあっては図１７に示すように下側に山形状に湾曲する。第二部分１１ｂおよび第四部分１１ｄの湾曲を無視すると、歯科矯正用ワイヤー１１は全体としてほぼ同一平面内に位置する。このとき、歯科矯正用ワイヤー１１の弾性により、上顎歯用の歯科矯正用ワイヤー１１にあっては第三部分１１ｃに対して一点鎖線で示す元の位置に復元するような力が図１６中矢印で示すように第三平面に対して垂直上向きに働き、下顎歯用の歯科矯正用ワイヤー１１にあっては第三部分１１ｃに対して一点鎖線で示す元の位置に復元するような力が図１７中矢印で示すように第三平面に対して垂直下向きに働き、いずれの場合も結果として前歯を唇舌側に傾斜させる回転方向のトルクが加わる。この力がほぼ鉛直方向の矯正力となる。この力はトルクホールディングベンド部ＢTHに近い程大きく、中切歯、側切歯、犬歯の順に大きくなり、その様子を図１６および図１７中の垂直方向の矢印の長さで示す。一例を挙げると、歯科矯正用ワイヤー１１として、０．４１ｍｍ×０．５６ｍｍ（０．０１６”×０．０２２”）の長方形の横断面形状を有するステンレス鋼製ワイヤーを用いた場合、上顎中切歯および下顎中切歯には１００±３０ｇ重の力が加わり、上顎側切歯および下顎側切歯には２００±５０ｇ重の力が加わり、上顎犬歯および下顎犬歯には２５０±５０ｇ重の力が加わる。一方、各ブラケットおよびボンダブルチューブには既に述べたようにパワーチェーンが引っ掛けられていることにより、歯科矯正用ワイヤー１１には、ほぼ水平方向の矯正力が舌側に働く。
【００７７】
図１８Ａは、上顎左側および右側中切歯１Ｌおよび１Ｒ、上顎左側および右側側切歯２Ｌおよび２Ｒ、上顎左側および右側犬歯３Ｌおよび３Ｒならびに上顎左側および右側第一小臼歯４Ｌおよび４Ｒにそれぞれ装着されたブラケット２０１のスロット２０１ａに歯科矯正用ワイヤー１１が通された状態の一例を示し、歯列弓を前頭面に平行な平面に展開して歯科矯正用ワイヤー１１がその平面内に位置するようにした図である。なお、図１８Ａ中、符号２０１ｂ、２０１ｃはブラケット２０１のそれぞれ近心側および遠心側のウィングを示す。また、図１８Ｂ〜Ｉは、それぞれ上顎右側第一小臼歯４Ｒ、上顎右側犬歯３Ｒ、上顎右側側切歯２Ｒ、上顎右側中切歯１Ｒ、上顎左側中切歯１Ｌ、上顎左側側切歯２Ｌ、上顎左側犬歯３Ｌおよび上顎左側第一小臼歯４Ｌにそれぞれ装着されたブラケット２０１のスロット２０１ａ内の歯科矯正用ワイヤー１１の拡大した横断面図であり、各図の左側が前側である。ここで重要なことは、歯科矯正用ワイヤー１１は、第一小臼歯４Ｌおよび４Ｒの部分では、横断面の長方形の長辺がほぼ水平方向であるのに対し、上顎左側および右側中切歯１Ｌおよび１Ｒ、上顎左側および右側側切歯２Ｌおよび２Ｒならびに上顎左側および右側犬歯３Ｌおよび３Ｒの部分では、歯科矯正用ワイヤー１１の中心軸の周りに回転して捩じれており、横断面の長方形の長辺、従って歯科矯正用ワイヤー１１の上面が水平方向に対して内側が低くなるように傾斜していることである。図１９にこの状態の歯科矯正用ワイヤー１１の上顎第一小臼歯４Ｒから上顎右側犬歯３Ｒにかけての部分を拡大して示す。また、この状態の歯科矯正用ワイヤー１１の平面図を図２０に示す。
【００７８】
歯科矯正用ワイヤー１１を取り付けてから一定期間は、上顎左側および右側中切歯１Ｌおよび１Ｒ、上顎左側および右側側切歯２Ｌおよび２Ｒならびに上顎左側および右側犬歯３Ｌおよび３Ｒに装着されたブラケット２０１のスロット２０１ａ内の歯科矯正用ワイヤー１１は通常、スロット２０１ａの底面あるいは側面に面接触している。歯科矯正用ワイヤー１１を取り付けてからある時間経過すると、歯科矯正用ワイヤー１１にトルクホールディングベンド部ＢTHが設けられていることにより第三平面に垂直方向に継続的に力が働き、さらにパワーチェーンにより水平方向の矯正力が働き、それによって上顎左側および右側中切歯１Ｌおよび１Ｒ、上顎左側および右側側切歯２Ｌおよび２Ｒならびに上顎左側および右側犬歯３Ｌおよび３Ｒが移動する結果、歯科矯正用ワイヤー１１は、ブラケット２０１のスロット２０１ａの底面および両側面に点接触または線接触するようになり、以後はこの状態に固定される。すなわち、歯科矯正用ワイヤー１１は、言わば、ブラケット２０１のスロット２０１ａの底面および両側面に点接触または線接触した状態にロックされる。この状態を図２１〜図２３に示す。すなわち、図２１は上顎右側中切歯１Ｒに装着されたブラケット２０１のスロット２０１ａに歯科矯正用ワイヤー１１が通された状態を示す断面図である。図２２は上顎右側側切歯２Ｒに装着されたブラケット２０１のスロット２０１ａに歯科矯正用ワイヤー１１が通された状態を示す断面図である。図２３は上顎右側犬歯３Ｒに装着されたブラケット２０１のスロット２０１ａに歯科矯正用ワイヤー１１が通された状態を示す断面図である。ブラケット２０１のスロット２０１ａの断面形状および寸法は、使用する歯科矯正用ワイヤー１１に応じて適宜決められる。例えば、第一小臼歯を抜歯して歯科矯正を行う場合に歯科矯正用ワイヤー１１として０．４１ｍｍ×０．５６ｍｍ（０．０１６”×０．０２２”）の長方形の横断面形状を有するステンレス鋼製ワイヤーを用いる場合、スロット２０１ａは０．５６ｍｍ（幅）×０．７１ｍｍ（深さ）（０．０２２”×０．０２８”）の長方形の断面形状を有する。第二小臼歯を抜歯して歯科矯正を行う場合に歯科矯正用ワイヤー１１として０．４３ｍｍ×０．６４ｍｍ（０．０１７”×０．０２５”）の長方形の横断面形状を有するステンレス鋼製ワイヤーを用いる場合も同様なスロット２０１ａを有するブラケット２０１が用いられる。図２１〜図２３に示すように、歯科矯正用ワイヤー１１は長方形の断面形状のスロット２０１ａに対して角度Θ回転した状態で収容されており、歯科矯正用ワイヤー１１の一つの陵Ｅ1 がスロット２０１ａの底面と点接触または線接触し、この陵Ｅ1 の両側の二つの陵Ｅ2 、Ｅ3 がスロット２０１ａの両側面と点接触または線接触している。Θは典型的にはθ2 とほぼ等しく、例えば、θ2 が２０°であればΘもほぼ２０°である。図２１〜図２３において、例えばＦ1 とＦ2 とが同程度の大きさである場合には、Ｆ1 とＦ2 との合力Ｆが水平方向となす角は概ね例えば４５°前後の角度になる。以上のことは、上顎左側中切歯１Ｌ、上顎左側側切歯２Ｌおよび上顎左側犬歯３Ｌについても同様である。一方、図２４は第一小臼歯４Ｒに装着されたブラケッ���２０１のスロット２０１ａに歯科矯正用ワイヤー１１が通された状態を示す断面図である。図２４に示すように、歯科矯正用ワイヤー１１は、ほぼ水平な状態でスロット２０１ａ内に収容されており、いずれかの部分がスロット２０１ａの側面または底面に接触している。この場合、歯科矯正用ワイヤー１１はスロット２０１ａ内で遊びを持っており、ロックされていない。以上のことは、上顎左側第一小臼歯についても同様であり、上顎左側および右側第二小臼歯についても同様であり、さらには、下顎左側および右側第一小臼歯および第二小臼歯についても同様である。
【００７９】
図２１〜図２３に示すように、歯科矯正用ワイヤー１１の一つの陵Ｅ1 がスロット２０１ａの底面と点接触または線接触し、この陵Ｅ1 の両側の二つの陵Ｅ2 、Ｅ3 がスロット２０１ａの両側面と点接触または線接触した状態にロックされた後は、上顎右側中切歯１Ｒ、上顎右側側切歯２Ｒおよび上顎右側犬歯３Ｒに装着された各ブラケット２０１には、歯科矯正用ワイヤー１１によりほぼ水平方向の矯正力Ｆ1 および第三平面に垂直でほぼ鉛直方向の矯正力Ｆ2 が働き、その結果、Ｆ1 とＦ2 との合力Ｆが各ブラケット２０１、ひいてはこのブラケット２０１が装着された歯の歯冠部に加わる。図１３ＡおよびＢに示すように、ほぼ水平方向の矯正力Ｆ1 は、最終的に設定される、歯列弓が湾曲していることを反映した仮設的な点Ｐ（例えば、歯列弓が位置する水平面内かつ正中面内の一点）を向いている。ただし、点Ｐは、厳密な点を意味するものではなく、一定の広がりを持った領域、例えば直径１〜１０ｍｍ程度の円状の領域を意味する。そして、上顎右側中切歯１Ｒ、上顎右側側切歯２Ｒおよび上顎右側犬歯３Ｒに合力Ｆが加わる結果、最終的にこれらの歯の歯根の中心軸（あるいは歯軸）の延長線の交点として設定される仮設的な点（ここでは集合点（gathering point)ＧＰと呼ぶものとする）に向かってこれらの歯の歯根が整列するようにこれらの歯が三次元的に歯体移動する。ただし、集合点ＧＰは、厳密な点を意味するものではなく、一定の広がりを持った領域、例えば直径１〜１０ｍｍ程度の球状の領域を意味する。上述のように歯科矯正用ワイヤー１１がスロット２０１ａに対して点接触または線接触しているため、この歯体移動の際には、歯科矯正用ワイヤー１１とスロット２０１ａとの間の摩擦力を大幅に低減することができ、それによって歯科矯正用ワイヤー１１はスロット２０１ａ内でスムーズに移動することができる。この結果、水平方向の矯正力が小さくて済むだけでなく、より速くスムーズで安全な歯の移動が可能になる。以上のことは、上顎左側中切歯１Ｌ、上顎左側側切歯２Ｌおよび上顎左側犬歯３Ｌについても同様であり、さらには、下顎左側および右側中切歯、下顎左側および右側側切歯および下顎左側および右側犬歯についても同様である。以上により、前歯について三次元的な歯体移動が可能であり、最終的に各歯の歯根を集合点ＧＰに向かって放射状に整列させることができる。
【００８０】
このようにして三次元的な歯体移動が起きる様子を図２５に示す。図２５において、符号３０１は歯槽骨、３０２は歯根膜、３０３は歯を示す。上述のように、ブラケットにより歯３０３にほぼ水平方向の矯正力Ｆ1 とほぼ鉛直方向の矯正力Ｆ2 とが働き、その合力であるＦが歯３０３に加わる結果、歯３０３は一点鎖線で示すように三次元的に歯体移動する。この際、ジグリングを行わないので、歯３０３の歯根吸収を有効に防止することができる。
【００８１】
一方、図２４に示すように、第一小臼歯４Ｒに装着されたブラケット２０１には、歯科矯正用ワイヤー１１がほぼ水平な状態でスロット２０１ａ内に収容されていることによりほぼ水平方向の矯正力Ｆ1 が働く。これに加えて、第一小臼歯４Ｒに装着されたブラケット２０１には、図１６に示すように歯科矯正用ワイヤー１１の第二部分１１ｂおよび第四部分１１ｄが上側に山形状に湾曲していることにより、ほぼ上向きの力（Ｆ3 とする）が働く。この結果、第一小臼歯４Ｒに装着されたブラケット２０１、ひいては第一小臼歯４Ｒの歯冠部には、Ｆ1 とＦ3 との合力が加わる。この合力が加わる結果、最終的に、第一小臼歯４Ｒは、その歯根の中心軸の延長線が集合点ＧＰに向かうように歯体移動を行う。以上のことは、上顎左側第一小臼歯についても同様であり、上顎左側および右側第二小臼歯についても同様であり、さらには、下顎左側および右側第一小臼歯および第二小臼歯についても同様である。
【００８２】
上顎歯の歯科矯正治療を行う場合を例にとって、歯科矯正用ワイヤー１１を用いた歯科矯正治療を行う方法をより具体的に説明する。下顎歯の歯科矯正治療を行う場合も同様である。
【００８３】
（１）第一小臼歯を抜歯して歯科矯正治療を行う場合
この場合、図２６Ａに示すように、０．４１ｍｍ×０．５６ｍｍ（０．０１６”×０．０２２”）の長方形の横断面形状を有するステンレス鋼製ワイヤーからなり、θ1 ＝θ2 ＝２０°の歯科矯正用ワイヤー１１を用いる。このとき、第四部分１１ｄの長さＬ4 は、右側の第二小臼歯５Ｒと第一大臼歯６Ｒとの境界部と、犬歯３Ｒの歯冠部の前面に取り付けられたブラケット２０１の遠心側の端面から３〜５ｍｍ遠心した位置との間の距離にほぼ等しく選ばれる。同様に、第二部分１１ｂの長さＬ2 は、左側の第二小臼歯５Ｌと第一大臼歯６Ｌとの境界部と、左側の犬歯３Ｌの歯冠部の前面に取り付けられたブラケット２０１の遠心側の端面から３〜５ｍｍ遠心した位置との間の距離にほぼ等しく選ばれる。
【００８４】
まず、患者の上顎前歯および小臼歯の各歯の歯冠部の前面にブラケット２０１をそれぞれ接着し、第一大臼歯６Ｒの歯冠部の前面にはボンダブルチューブ２０２を接着し、既に述べた方法でこれらのブラケット２０１およびボンダブルチューブ２０２に歯科矯正用ワイヤー１１を装着する。こうして、歯科矯正用ワイヤー１１をこれらのブラケット２０１およびボンダブルチューブ２０２を用いて上顎歯に固定する。この後、既に述べたように、これらのブラケット２０１およびボンダブルチューブ２０２にパワーチェーン（図示せず）を引っ掛ける。図２６Ｂは歯科矯正用ワイヤー１１が装着された歯列弓を右側から見た様子を示す。この際、第一部分１１ａと第二部分１１ｂとの境界のティップバックベンド部ＢTBは左側の第二小臼歯５Ｌと第一大臼歯６Ｌとの境界部に、第二部分１１ｂと第三部分１１ｃとの境界のトルクホールディングベンド部ＢTHは左側の犬歯３Ｌの歯冠部の前面に取り付けられたブラケット２０１の遠心側の端面から３〜５ｍｍ遠心した位置に、第五部分１１ｅと第四部分１１ｄとの境界のティップバックベンド部TBは右側の第二小臼歯５Ｒと第一大臼歯６Ｒとの境界部に、第四部分１１ｂと第三部分１１ｃとの境界のトルクホールディングベンド部ＢTHは右側の犬歯３Ｒの歯冠部の前面に取り付けられたブラケット２０１の遠心側の端面から３〜５ｍｍ遠心した位置にそれぞれ来るようにする。
【００８５】
上述のようにして患者の上顎歯に歯科矯正用ワイヤー１１を装着すると、最終的に、前歯がそれらの歯根の中心軸の延長線が集合点ＧＰに向かうように三次元的に歯体移動し、第二小臼歯５Ｌおよび５Ｒも同様にそれらの歯根の中心軸の延長線が集合点ＧＰに向かうように歯体移動する。そして、こうして前歯ならびに第二小臼歯５Ｌおよび５Ｒが歯体移動を行う過程で、第一小臼歯の抜歯により形成されたスペースが閉じられる（あるいは埋められる）。この際、図２６Ｂに示すように、歯科矯正用ワイヤー１１の第二部分１１ｂおよび第四部分１１ｄは上側に山形状に湾曲しているが、第二小臼歯５Ｌおよび５Ｒの歯冠部の前面に取り付けられたブラケット２０１のスロット２０１ａ内に歯科矯正用ワイヤー１１が収容されたとき、歯科矯正用ワイヤー１１の上側への湾曲がスロット２０１ａにより制限されるため、歯科矯正用ワイヤー１１は、近心側のウィング２０１ｂのスロット２０１ａの上側の側面と遠心側のウィング２０１ｃのスロット２０１ａの下側の側面とに接触した状態となる。この結果、第二小臼歯５Ｌおよび５Ｒには、鉛直方向に対して後方に少し傾斜した方向の上向きの力Ｆ3 が加わる。この場合、第一大臼歯６Ｌおよび６Ｒのティップバックは、第二小臼歯５Ｌおよび５Ｒを支点として、歯科矯正用ワイヤー１１の第一部分１１ａおよび第五部分１１ｅにより第一大臼歯６Ｌおよび６Ｒに力が加わることにより行われるが、この際、支点となる第二小臼歯５Ｌおよび５Ｒには上述のように上向きの力Ｆ3 が加わるため、第二小臼歯５Ｌおよび５Ｒが挺出するのを防止することができる。加えて、歯科矯正用ワイヤー１１の第二部分１１ｂおよび第四部分１１ｄはブラケット２０１のスロット２０１ａ内で遊びを持っていてロックされていないため、第二小臼歯５Ｌおよび５Ｒと下顎の第二小臼歯５Ｌおよび５Ｒとの咬合関係が損なわれるのを防止することができる。以上のようにして、歯科矯正が行われる。
【００８６】
（２）第二小臼歯を抜歯して歯科矯正治療を行う場合
この場合、図２７Ａに示すように、０．４３ｍｍ×０．６４ｍｍ（０．０１７”×０．０２５”）の長方形の横断面形状を有するステンレス鋼製ワイヤーからなり、θ1 ＝θ2 ＝１５°の歯科矯正用ワイヤー１１を用いる。このとき、第四部分１１ｄの長さＬ4 は、右側の犬歯３Ｒと第一小臼歯４Ｒとの境界部と、右側の第一大臼歯６Ｒの近心側の側面との間の距離にほぼ等しく選ばれる。同様に、第二部分１１ｂの長さＬ2 は、左側の犬歯３Ｌと第一小臼歯４Ｌとの境界部と、左側の第一大臼歯６Ｌの近心側の側面との間の距離にほぼ等しく選ばれる。第一大臼歯６Ｒの近心側の側面とこの第一大臼歯６Ｒの歯冠部の前面に取り付けられたボンダブルチューブ２０２の近心側の端面との間の距離は３〜５ｍｍである。同様に、第一大臼歯６Ｌの近心側の側面とこの第一大臼歯６Ｌの歯冠部の前面に取り付けられたボンダブルチューブ２０２の近心側の端面との間の距離は３〜５ｍｍである。
【００８７】
次に、歯科矯正用ワイヤー１１をブラケット２０１およびボンダブルチューブ２０２を用いて上顎歯に固定する。この後、既に述べたように、これらのブラケット２０１およびボンダブルチューブ２０２にパワーチェーン（図示せず）を引っ掛ける。図２７Ｂは歯科矯正用ワイヤー１１が装着された歯列弓を右側から見た様子を示す。この際、第一部分１１ａと第二部分１１ｂとの境界のティップバックベンド部ＢTBは左側の第一大臼歯６Ｌの近心側の側面に、第二部分１１ｂと第三部分１１ｃとの境界のトルクホールディングベンド部ＢTHは左側の犬歯３Ｌと第一小臼歯４Ｌとの境界部に、第五部分１１ｅと第四部分１１ｄとの境界のティップバックベンド部Ｂ2 は右側の第一大臼歯６Ｒの近心側の側面に、第四部分１１ｂと第三部分１１ｃとの境界のトルクホールディングベンド部ＢTHは右側の犬歯３Ｒと第一小臼歯４Ｒとの境界部にそれぞれ来るようにする。
【００８８】
上述のようにして患者の上顎歯に歯科矯正用ワイヤー１１を装着すると、最終的に、前歯がそれらの歯根の中心軸の延長線が集合点ＧＰに向かうように三次元的に歯体移動し、第一小臼歯４Ｌおよび４Ｒも同様にそれらの歯根の中心軸の延長線が集合点ＧＰに向かうように歯体移動する。加えて、後述のように、第一大臼歯６Ｌおよび６Ｒは近心に移動する。そして、こうして前歯ならびに第二小臼歯５Ｌおよび５Ｒが歯体移動を行うとともに、第一大臼歯６Ｌおよび６Ｒが近心に移動する過程で、第二小臼歯の抜歯により形成されたスペースが閉じられる（あるいは埋められる）。この際、図２７Ｂに示すように、歯科矯正用ワイヤー１１の第二部分１１ｂおよび第四部分１１ｄは上側に山形状に湾曲しているが、第一小臼歯４Ｌおよび４Ｒの歯冠部の前面に取り付けられたブラケット２０１のスロット２０１ａ内に歯科矯正用ワイヤー１１が収容されたとき、歯科矯正用ワイヤー１１の上側への湾曲がスロット２０１ａにより制限されるため、歯科矯正用ワイヤー１１は、遠心側のウィング２０１ｃのスロット２０１ａの上側の側面と近心側のウィング２０１ｂのスロット２０１ａの下側の側面とに接触した状態となる。この結果、第一小臼歯４Ｌおよび４Ｒには、鉛直方向に対して前方に少し傾斜した方向の上向きの力Ｆ3 が加わる。この鉛直方向に対して前方に少し傾斜した方向の力Ｆ3 が加わることにより、この第一小臼歯４Ｌおよび４Ｒが固定源となって第一大臼歯６Ｌおよび６Ｒを近心に移動させる。一方、この場合、第一大臼歯６Ｌおよび６Ｒのティップバックは、第一小臼歯４Ｌおよび４Ｒを支点として、歯科矯正用ワイヤー１１の第一部分１１ａおよび第五部分１１ｅにより第一大臼歯６Ｌおよび６Ｒに力が加わることにより行われるが、この際、支点となる第一小臼歯４Ｌおよび４Ｒには既に述べたように上向きの力が加わるため、第一小臼歯４Ｌおよび４Ｒが挺出するのを防止することができる。加えて、歯科矯正用ワイヤー１１の第二部分１１ｂおよび第四部分１１ｄはブラケット２０１のスロット２０１ａ内で遊びを持っていてロックされていないため、第一小臼歯４Ｌおよび４Ｒと下顎の第一小臼歯４Ｌおよび４Ｒとの咬合関係が損なわれるのを防止することができる。以上のようにして、歯科矯正が行われる。
【００８９】
歯科矯正用ワイヤー１１を使用して実際に歯科矯正治療を行った具体例について説明する。
【００９０】
図２８Ａ〜Ｃは、歯科矯正治療を行う前の患者の初診時の上下顎歯を正面、右側および左側から撮影した写真である。図２８Ａ〜Ｃに示すように、この状態では、上顎前突で上顎歯列が前方にかなり突出しているだけでなく、歯並びが悪い。
【００９１】
図２９Ａ〜Ｃは、歯科矯正用ワイヤー１１の使用を開始する前に、上顎歯および下顎歯のレベリングやアライメント、歯列弓形態の修正、捻転歯のある程度の修正（約８０％）などを行うために、上下顎歯の左側および右側第一小臼歯の抜歯を行った上で、従来より歯科矯正治療の初期に一般的に用いられている形状記憶合金（ＮｉＴｉ）製超弾性歯科矯正用ワイヤーを上顎歯および下顎歯に取り付けた状態を示す。ただし、図２９Ａ〜Ｃは上下顎歯を正面、右側および左側から撮影した写真である。
【００９２】
図３０Ａ〜Ｃは、超弾性歯科矯正用ワイヤーを上顎歯および下顎歯に取り付けてから約１カ月と１週間経過後の患者の上下顎歯を正面、右側および左側から撮影した写真である。図３０Ａ〜Ｃに示すように、この状態では、下顎歯はまだ歯並びが悪いが、上顎歯は歯並びがかなり良くなっていて、歯科矯正用ワイヤー１１の使用を開始することができる状態となった。そこで、図３０Ａ〜Ｃに示すように、下顎歯には超弾性歯科矯正用ワイヤーを取り付けたままの状態で、既に述べたようにして、歯科矯正用ワイヤー１１を上顎歯に取り付けた。この時点では、左側および右側の犬歯３Ｌおよび３Ｒがアングルの不正咬合第II級の状態にあることから、これらの犬歯３Ｌおよび３Ｒをアングルの不正咬合第Ｉ級の状態に移動させるために、パワーチェーンは、左側の犬歯３Ｌに装着されたブラケット２０１と左側の第一大臼歯６Ｌに装着にされたボンダブルチューブ２０２との間および右側の犬歯３Ｒに装着されたブラケット２０１と左側の第一大臼歯６Ｒに装着にされたボンダブルチューブ２０２との間に引っ掛けた。ブラケット２０１およびボンダブルチューブ２０２としては、株式会社トミーインターナショナル製の「マイクロアーチ  フォーミュラーＲ（ロスタイプ）上顎」を使用した。ブラケット２０１のスロット２０１ａは０．５６ｍｍ×０．７１ｍｍ（０．０２２”×０．０２８”）の長方形の断面形状を有する。使用した歯科矯正用ワイヤー１１の写真を図３１Ａに示す。この歯科矯正用ワイヤー１１は、０．４１ｍｍ×０．５６ｍｍ（０．０１６”×０．０２２”）の長方形の横断面形状を有するステンレス鋼製ワイヤーであり、θ1 ＝θ2 ＝２０°である。また、パワーチェーンとしては、デンツサプライ三金株式会社製の「プロチェーン（歯科矯正用エラストメトリックチェーン）品番５０５−００３６  ミディアムフォース  Ｍスペース」を用いた。使用したパワーチェーンの写真を図３１Ｂに示す。このパワーチェーンは熱硬化性ポリウレタンを使用したもので、引き伸ばされていない初期の状態では、内径約１．２ｍｍ、外径約３ｍｍのリングがピッチ約３．７ｍｍで数珠繋ぎとなった厚さ約０．５ｍｍのものである。
【００９３】
図３２Ａ〜Ｃは、歯科矯正用ワイヤー１１を上顎歯に取り付けてから約２ヶ月と２週間経過後の患者の上下顎歯を正面、右側および左側から撮影した写真である。図３２Ａ〜Ｃに示すように、上顎歯の左側および右側の犬歯３Ｌおよび３Ｒがアングルの不正咬合第Ｉ級の状態に移動している。また、図３２Ａ〜Ｃに示すように、下顎歯の歯並びもかなり良くなっていて、歯科矯正用ワイヤー１１の使用を開始することができる状態となった。そこで、図３２Ａ〜Ｃに示すように、歯科矯正用ワイヤー１１を下顎歯に取り付けた。この時点では、左側および右側の犬歯３Ｌおよび３Ｒがアングルの不正咬合第II級の状態にあることから、これらの犬歯３Ｌおよび３Ｒをアングルの不正咬合第Ｉ級の状態に移動させるために、パワーチェーンは、左側の犬歯３Ｌに装着されたブラケット２０１と左側の第一大臼歯６Ｌに装着にされたボンダブルチューブ２０２との間および右側の犬歯３Ｒに装着されたブラケット２０１と左側の第一大臼歯６Ｒに装着にされたボンダブルチューブ２０２との間に引っ掛けた。ブラケット２０１およびボンダブルチューブ２０２としては、株式会社トミーインターナショナル製の「マイクロアーチ  フォーミュラーＲ（ロスタイプ）下顎」を使用した。ブラケット２０１のスロット２０１ａは０．５６ｍｍ×０．７１ｍｍ（０．０２２”×０．０２８”）の長方形の断面形状を有する。使用した歯科矯正用ワイヤー１１は図３１に示す通りである。この歯科矯正用ワイヤー１１は、０．４１ｍｍ×０．５６ｍｍ（０．０１６”×０．０２２”）の長方形の横断面形状を有するステンレス鋼製ワイヤーであり、θ1 ＝θ2 ＝２０°である。パワーチェーンとしては、既に述べたものを用いた。
【００９４】
図３３Ａ〜Ｃは、歯科矯正用ワイヤー１１を下顎歯にも取り付けてから約６ヶ月経過後の患者の上下顎歯を正面、右側および左側から撮影した写真である。図３３Ａ〜Ｃに示すように、下顎歯の左側および右側の犬歯３Ｌおよび３Ｒがアングルの不正咬合第Ｉ級の状態に移動している。また、図３３Ａ〜Ｃに示すように、上顎前歯も下顎前歯も歯体移動により整列し始めており、左側および右側第一小臼歯の抜歯により形成されたスペースがかなり閉じられていることが分かる。この時点でパワーチェーンの取り付け方を変更し、パワーチェーンを、上顎歯、下顎歯とも、前歯および第二小臼歯にそれぞれ装着されたブラケット２０１に引っ掛け、両端を第一大臼歯に装着にされたボンダブルチューブ２０２に固定した。
【００９５】
図３４Ａ〜Ｃは、歯科矯正用ワイヤー１１を上顎歯および下顎歯に取り付けてからさらに約５ヶ月と２週間経過後の患者の上下顎歯を正面、右側および左側から撮影した写真である。図３４Ａ〜Ｃに示すように、上顎前歯も下顎前歯もさらに良好に整列を続けており、左側および右側第一小臼歯の抜歯により形成されたスペースがほぼ完全に閉じられていることが分かる。この時点で、上顎歯、下顎歯とも歯科矯正用ワイヤー１１を取り外し、仕上げのレベリングを行うために、上顎歯および下顎歯にそれぞれ上記の超弾性歯科矯正用ワイヤーを取り付けた。
【００９６】
図３５Ａ〜Ｃは、超弾性歯科矯正用ワイヤーを上顎歯および下顎歯に取り付けてからさらに約３ヶ月と４週間経過後の患者の上下顎歯を正面、右側および左側から撮影した写真である。図３５Ａ〜Ｃに示すように、上顎歯も下顎歯もレベリングが良好に行われたことが分かる。
【００９７】
図３６Ａ〜Ｃは、超弾性歯科矯正用ワイヤーを上顎歯および下顎歯に取り付けてからさらに約２ヶ月と２週間経過後に、上顎歯および下顎歯にそれぞれ取り付けた超弾性歯科矯正用ワイヤーを取り外し、患者の上下顎歯を正面、右側および左側から撮影した写真である。図３６Ａ〜Ｃに示すように、上顎前歯も下顎前歯も良好に整列し、第一小臼歯の抜歯により形成されたスペースが完全に閉じられたことが分かる。
【００９８】
以上により、歯科矯正用ワイヤー１１を使用した歯科矯正治療を終了する。
【００９９】
図３７は歯科矯正治療の開始前に撮影した患者のパノラマＸ線写真を示す。また、図３８は歯科矯正治療の終了後に撮影した患者のパノラマＸ線写真を示す。図３８を図３７と比較すれば明らかなように、歯科矯正治療後に歯根吸収は起きていない。また、上顎前歯も下顎前歯も良好に整列しており、第一小臼歯の抜歯により形成されたスペースが完全に閉じられていることが分かる。
【０１００】
以上のように、この一実施の形態によれば、新規な歯科矯正用ワイヤー１１を実現することができる。この歯科矯正用ワイヤー１１を上顎歯または下顎歯にブラケット２０１およびボンダブルチューブ２０２を用いて装着したとき、トルクホールディングベンド部ＢTHを中心に第三部分１１ｃがそれぞれ下側または上側に折り曲げられることにより発生するほぼ鉛直方向の矯正力Ｆ2 と歯科矯正用ワイヤー１１の両端を第一大臼歯に固定することにより発生するほぼ水平方向の矯正力Ｆ1 との合力Ｆが左側および右側の中切歯１Ｌおよび１Ｒ、側切歯２Ｌおよび２Ｒならびに犬歯３Ｌおよび３Ｒに対して働く結果、最終的に、これらの歯の歯根の中心軸が集合点ＧＰに向かって放射状に整列するようにこれらの歯を三次元的に歯体移動させることができる。この際、ジグリングを行わないので、歯根吸収を有効に防止することができる。また、トルクホールディングベンド部ＢTHのベンド角が、第一小臼歯を抜歯して歯科矯正を行う場合に使用して好適な歯科矯正用ワイヤー１１では１２°以上２５°以下、第二小臼歯を抜歯して歯科矯正を行う場合に使用して好適な歯科矯正用ワイヤー１１では７°以上２０°以下と大きいことにより、この歯科矯正用ワイヤー１１に用いる金属ワイヤーの太さが小さくて済むことから、強すぎない適正な矯正力を得ることができ、それによって矯正に際して組織のダメージを最小限に抑えることができる。さらに、この歯科矯正用ワイヤー１１の第一部分１１ａおよび第五部分１１ｅは左側および右側の第一大臼歯に固定されるが、この歯科矯正用ワイヤー１１は、第二小臼歯と第一大臼歯との境界部あるいは第一大臼歯の近心側の側面の位置にベンド角θ1 が１２°以上２５°以下あるいは７°以上２０°以下のティップバックベンド部ＢTBを有することにより、これらの第一大臼歯は遠心にティップされるため、第一大臼歯は挺出せず、遠心咬頭のみが圧下して歯槽骨内に斜めに楔状に食い込むことから、中程度までの固定源を得ることができ、この固定源を利用して水平方向の矯正力を得ることができる。また、この歯科矯正用ワイヤー１１の製造方法によれば、折り曲げ加工により上記のような優れた歯科矯正用ワイヤー１１を容易にかつ低コストで製造することができる。さらに、歯科矯正用ワイヤー製造用プライヤー１００によれば、金属ワイヤーの折り曲げ加工を容易に行うことができ、それによって上記の優れた歯科矯正用ワイヤー１１を容易にかつ低コストで製造することができる。
【０１０１】
歯科矯正用ワイヤー１１の使用により得られる効果について付言する。すなわち、三次元的な歯の移動を可能にするためには、歯科矯正用ワイヤー１１が適度な剛性と柔軟性とを有することが必要となる。この点に関し、歯科矯正用ワイヤー１１は、ａ×ｂ＝（０．４１±０．０５ｍｍ）×（０．５６±０．０５ｍｍ）のステンレス鋼製ワイヤーまたはこれと同等の機械的性質を有するステンレス鋼以外の金属からなるワイヤー、あるいは、ａ×ｂ＝（０．４３±０．０５ｍｍ）×（０．６４±０．０５ｍｍ）のステンレス鋼製ワイヤーまたはこれと同等の機械的性質を有するステンレス鋼以外の金属からなるワイヤーからなるため、この条件を満たしている。複雑な形の歯根を移動させるためには、歯科矯正用ワイヤー１１の剛性と柔軟性とが重要な要素となる。この歯科矯正用ワイヤー１１を使用して歯科矯正治療を行うことにより、歯冠部に加えられた力が歯根全体に伝えられる。この際、歯には無理な力も無駄な力も働かず、歯の移動に最適な力（適正矯正力は歯根面積に比例する）が常に発生し、結果として最適な形で骨の置換が行われる。より詳細には、人体の組織学正常反応である、破骨細胞と骨芽細胞とによる歯槽骨の転換作用が促進され、これによって理想的な歯の移動が行われ、結果として理想的な歯科矯正治療を行うことが可能である。この歯科矯正治療によれば、治療による痛みや歯根吸収も起きない。
【０１０２】
以上、この発明の実施の形態について具体的に説明したが、この発明は、上述の実施の形態に限定されるものではなく、この発明の技術的思想に基づく各種の変形が可能である。
【０１０３】
例えば、上述の実施の形態などにおいて挙げた数値、構造、形状、材質、製造方法などはあくまでも例に過ぎず、必要に応じてこれらと異なる数値、構造、形状、材質、製造方法などを用いてもよい。
【０１０４】
例えば、上述の実際に歯科矯正治療を行った具体例において、パワーチェーンとして、デンツサプライ三金株式会社製の「プロチェーン（歯科矯正用エラストメトリックチェーン）品番５０４−００３６  ライトフォース  Ｍスペース」を用いてもよい。また、上下顎歯の左側および右側の第一小臼歯ではなく、第二小臼の抜歯を行って歯科矯正治療を行う場合には、パワーチェーンとして、例えば、デンツサプライ三金株式会社製の「プロチェーン（歯科矯正用エラストメトリックチェーン）品番５０５−００３０  ミディアムフォース  ｓスペース」あるいは「プロチェーン（歯科矯正用エラストメトリックチェーン）品番５０６−００３０  ヘビーフォース  ｓスペース」を用いることができる。
【０１０５】
また、歯科矯正用ワイヤー製造用プライヤー１００の第一アーム１０１の顎部１０４の挟持部１１０の凸部１１２の長手方向に垂直な断面における三角形の頂角φ1 および第二アーム１０２の顎部１０７の挟持部１１１の凹部１１３の長手方向に垂直な断面における三角形の頂角φ2 は、θ1 、θ2 が２５°を超え、あるいは７°を下回る歯科矯正用ワイヤーを製造する場合には、１５５°未満あるいは１７３°より大きな角度としてもよく、例えば１５０°以上１７６°以下としてもよい。
【符号の説明】
【０１０６】
１１…歯科矯正用ワイヤー、１１ａ…第一部分、１１ｂ…第二部分、１１ｃ…第三部分、１１ｄ…第四部分、１１ｅ…第五部分、２０…金属ワイヤー、１００…歯科矯正用ワイヤー製造用プライヤー、１０１…第一アーム、１０２…第二アーム、１０３…連結軸、１０４、１０７…顎部、１１０、１１１…挟持部、１１２…凸部、１１３…凹部、２０１…ブラケット、２０１ａ…スロット、２０１ｂ、２０１ｃ…ウィング
【要約】
【課題】歯科矯正治療に使用することにより、三次元的な歯体移動が可能となることにより、歯根吸収をほぼ完全に防止することができ、しかも組織にダメージをほとんど与えることがない歯科矯正用ワイヤーを提供する。
【解決手段】歯科矯正用ワイヤー１１は、第一部分１１ａ、第二部分１１ｂ、アーチ状の第三部分１１ｃ、第四部分１１ｄおよび第五部分１１ｄを有し、（０．４１±０．０５ｍｍ）×（０．５６±０．０５ｍｍ）の長方形の横断面形状を有する全体としてアーチ状のステンレス鋼製ワイヤーからなる。第一、第五部分はほぼ第一平面内に、第二、第四部分はほぼ第二平面内に、第三部分はほぼ第三平面内に位置する。ステンレス鋼製ワイヤーの横断面の長方形の長辺はほぼ第一、第二および第三平面に平行である。第一平面は第二平面に対して１２°以上２５°以下傾斜し、第三平面は第二平面に対して第一平面と同じ側に１２°以上２５°以下傾斜している。
【選択図】図１【図１】
0005566549.tif 000002
【図２】
0005566549.tif 000003
【図３】
0005566549.tif 000004
【図４】
0005566549.tif 000005
【図５】
0005566549.tif 000006
【図６】
0005566549.tif 000007
【図７】
0005566549.tif 000008
【図８】
0005566549.tif 000009
【図９】
0005566549.tif 000010
【図１０】
0005566549.tif 000011
【図１１】
0005566549.tif 000012
【図１２】
0005566549.tif 000013
【図１３】
0005566549.tif 000014
【図１４】
0005566549.tif 000015
【図１５】
0005566549.tif 000016
【図１６】
0005566549.tif 000017
【図１７】
0005566549.tif 000018
【図１８】
0005566549.tif 000019
【図１９】
0005566549.tif 000020
【図２０】
0005566549.tif 000021
【図２１】
0005566549.tif 000022
【図２２】
0005566549.tif 000023
【図２３】
0005566549.tif 000024
【図２４】
0005566549.tif 000025
【図２５】
0005566549.tif 000026
【図２６】
0005566549.tif 000027
【図２７】
0005566549.tif 000028
【図３９】
0005566549.tif 000029
【図２８】
0005566549.tif 000030
【図２９】
0005566549.tif 000031
【図３０】
0005566549.tif 000032
【図３１】
0005566549.tif 000033
【図３２】
0005566549.tif 000034
【図３３】
0005566549.tif 000035
【図３４】
0005566549.tif 000036
【図３５】
0005566549.tif 000037
【図３６】
0005566549.tif 000038
【図３７】
0005566549.tif 000039
【図３８】
0005566549.tif 000040